(57)【特許請求の範囲】
【請求項１】
中央制御装置に公衆回線等の通信回線を介して接続されるデータ通信装置と複写装置等の画像形成装置との間を無線化するために、該データ通信装置に有線接続あるいは内蔵される無線親局および前記画像形成装置に有線接続あるいは内蔵される無線子局とからなる無線通信装置において、
前記無線子局に、前記無線親局の識別情報の送信を要求する親局情報送信要求モードを設定する親局情報送信要求モード設定手段と、該手段によるモード設定がなされた場合に、前記無線親局の識別情報の送信要求を示す親局情報送信要求信号を該無線親局へ無線送信する親局情報送信要求手段と、前記親局情報送信要求手段による前記無線親局への無線送信に対する応答情報として、該無線親局の識別情報を受信した場合に、その受信した前記無線親局の識別情報を登録する親局情報登録手段とを設け、
前記無線親局に、当該無線親局の識別情報を送信する親局情報送信モードを設定する親局情報送信モード設定手段と、該手段によるモード設定中に前記無線子局から前記親局情報送信要求信号を受信した場合に、当該無線親局の識別情報を前記無線子局へ無線送信する手段とを設けたことを特徴とする無線通信装置。
【請求項２】
請求項１記載の無線通信装置において、
前記無線子局に、前記無線親局の識別情報の登録を指示する親局情報登録指示手段と、当該無線子局と前記無線親局との接続の有無を確認するための報知要求を指示する接続報知要求指示手段と、該手段による指示があった場合に、当該無線子局と前記無線親局との接続の有無を確認するための報知要求を示す接続報知要求信号を該無線親局へ無線送信する接続報知要求手段とを設け、
前記無線子局の親局情報登録手段が、前記親局情報送信要求手段による前記無線親局への無線送信に対する応答情報として、該無線親局の識別情報を受信した後、前記親局情報登録指示手段による指示があった場合に、その受信した前記無線親局の識別情報を登録する手段であり、
前記無線親局に、前記無線子局から前記接続報知要求信号を受信した場合に、当該無線親局と前記無線子局とが接続されている旨を報知する接続報知手段を設けたことを特徴とする無線通信装置。
【請求項３】
請求項１記載の無線通信装置において、
前記無線子局に、前記無線親局の識別情報の登録を指示する親局情報登録指示手段と、前記親局情報送信要求手段による前記無線親局への無線送信に対する応答情報として、該無線親局の識別情報を受信した場合に、当該無線子局と前記無線親局との接続の有無を確認するための報知要求を示す接続報知要求信号を該無線親局へ無線送信する接続報知要求手段とを設け、
前記無線子局の親局情報登録手段が、前記親局情報送信要求手段による前記無線親局への無線送信に対する応答情報として、該無線親局の識別情報を受信した後、前記親局情報登録指示手段による指示があった場合に、その受信した前記無線親局の識別情報を登録する手段であり、
前記無線親局に、前記無線子局から前記接続報知要求信号を受信した場合に、当該無線親局と前記無線子局とが接続されている旨を報知する接続報知手段を設けたことを特徴とする無線通信装置。
【請求項４】
請求項２又は３記載の無線通信装置において、
前記無線親局の接続報知手段が、前記無線子局から前記接続報知要求信号を受信している間、当該無線親局と前記無線子局とが接続されている旨をＬＥＤ表示部又は文字表示部等の表示手段を用いて報知する手段であることを特徴とする無線通信装置。
【請求項５】
請求項２又は３記載の無線通信装置において、
前記無線親局の接続報知手段が、前記無線子局から前記接続報知要求信号を受信している間、当該無線親局と前記無線子局とが接続されている旨をスピーカ又はブザー等の音出力手段を用いて報知する手段であることを特徴とする無線通信装置。
【請求項６】
請求項１乃至５のいずれか一項に記載の無線通信装置において、
前記無線子局に、前記親局情報送信要求モード設定手段によるモード設定がなされた場合に、その旨を報知する親局情報送信要求モード報知手段を設け、
前記無線親局に、前記親局情報送信モード設定手段によるモード設定がなされた場合に、その旨を報知する親局情報送信モード報知手段を設けたことを特徴とする無線通信装置。
【請求項７】
請求項６記載の無線通信装置において、
前記無線子局の親局情報送信要求モード報知手段が、前記親局情報送信要求モード設定手段によるモード設定がなされた場合に、その旨をＬＥＤ表示部又は文字表示部等の表示手段を用いて報知する手段であり、
前記無線親局の親局情報送信モード報知手段が、前記親局情報送信モード設定手段によるモード設定がなされた場合に、その旨をＬＥＤ表示部又は文字表示部等の表示手段を用いて報知する手段であることを特徴とする無線通信装置。
【請求項８】
請求項６記載の無線通信装置において、
前記無線子局の親局情報送信要求モード報知手段が、前記親局情報送信要求モード設定手段によるモード設定がなされた場合に、その旨をスピーカ等の音出力手段を用いて報知する手段であり、
前記無線親局の親局情報送信モード報知手段が、前記親局情報送信モード設定手段によるモード設定がなされた場合に、その旨をスピーカ等の音出力手段を用いて報知する手段であることを特徴とする無線通信装置。
【請求項９】
請求項１乃至８のいずれか一項に記載の無線通信装置において、
前記無線子局に、前記親局情報送信要求手段によって前記無線親局へ前記親局情報送信要求信号を無線送信した後、予め設定された所定時間内に前記無線親局の識別情報を受信した場合に、その受信が成功したと判断し、その旨を報知する親局情報受信成功報知手段を設けたことを特徴とする無線通信装置。
【請求項１０】
請求項９記載の無線通信装置において、
前記無線子局の親局情報受信成功報知手段が、前記所定時間内に前記無線親局の識別情報を受信した場合に、その受信が成功したと判断し、その旨をＬＥＤ表示部又は文字表示部等の表示手段を用いて報知する手段であることを特徴とする無線通信装置。
【請求項１１】
請求項９記載の無線通信装置において、
前記無線子局の親局情報受信成功報知手段が、前記所定時間内に前記無線親局の識別情報を受信した場合に、その受信が成功したと判断し、その旨をスピーカ等の音出力手段を用いて報知する手段であることを特徴とする無線通信装置。
【請求項１２】
請求項１乃至１１のいずれか一項に記載の無線通信装置において、
前記無線子局に、前記親局情報送信要求手段によって前記無線親局へ前記親局情報送信要求信号を無線送信した後、予め設定された所定時間内に前記無線親局の識別情報を受信できなかった場合に、その受信が失敗したと判断し、その旨を報知する親局情報受信失敗報知手段を設けたことを特徴とする無線通信装置。
【請求項１３】
請求項１２記載の無線通信装置において、
前記無線子局の親局情報受信失敗報知手段が、前記所定時間内に前記無線親局の識別情報を受信できなかった場合に、その受信が失敗したと判断し、その旨をＬＥＤ表示部又は文字表示部等の表示手段を用いて報知する手段であることを特徴とする無線通信装置。
【請求項１４】
請求項１２記載の無線通信装置において、
前記無線子局の親局情報受信失敗報知手段が、前記所定時間内に前記無線親局の識別情報を受信できなかった場合に、その受信が失敗したと判断し、その旨をスピーカ等の音出力手段を用いて報知する手段であることを特徴とする無線通信装置。
【請求項１５】
中央制御装置に公衆回線等の通信回線を介して接続されるデータ通信装置と複写装置等の画像形成装置との間を無線化するために、該データ通信装置に有線接続あるいは内蔵される無線親局および前記画像形成装置に有線接続あるいは内蔵される無線子局とからなる無線通信装置において、
前記無線子局に、前記無線親局の識別情報を受信する親局情報受信モードを設定する親局情報受信モード設定手段と、前記親局情報受信モード設定手段によるモード設定中に前記無線親局の識別情報を受信した場合に、その受信した前記無線親局の識別情報を登録する親局情報登録手段とを設け、
前記無線親局に、当該無線親局の識別情報を送信する親局情報送信モードを設定する親局情報送信モード設定手段と、該手段によるモード設定中は当該無線親局の識別情報を前記無線子局へ繰り返し無線送信する手段とを設けたことを特徴とする無線通信装置。
【請求項１６】
請求項１５記載の無線通信装置において、
前記無線子局に、前記無線親局の識別情報の登録を指示する親局情報登録指示手段と、当該無線子局と前記無線親局との接続の有無を確認するための報知要求を指示する接続報知要求指示手段と、該手段による指示があった場合に、当該無線子局と前記無線親局との接続の有無を確認するための報知要求を示す接続報知要求信号を該無線親局へ無線送信する接続報知要求手段とを設け、
前記無線子局の親局情報登録手段が、前記親局情報受信モード設定手段によるモード設定中に前記無線親局の識別情報を受信した後、前記親局情報登録指示手段による指示があった場合に、その受信した前記無線親局の識別情報を登録する手段であり、
前記無線親局に、前記無線子局から前記接続報知要求信号を受信した場合に、当該無線親局と前記無線子局とが接続されている旨を報知する接続報知手段を設けたことを特徴とする無線通信装置。
【請求項１７】
請求項１５記載の無線通信装置において、
前記無線子局に、前記無線親局の識別情報の登録を指示する親局情報登録指示手段と、前記親局情報受信モード設定手段によるモード設定中に前記無線親局の識別情報を受信した場合に、当該無線子局と前記無線親局との接続の有無を確認するための報知要求を示す接続報知要求信号を該無線親局へ無線送信する接続報知要求手段とを設け、
前記無線子局の親局情報登録手段が、前記親局情報受信モード設定手段によるモード設定中に前記無線親局の識別情報を受信した後、前記親局情報登録指示手段による指示があった場合に、その受信した前記無線親局の識別情報を登録する手段であり、
前記無線親局に、前記無線子局から前記接続報知要求信号を受信した場合に、当該無線親局と前記無線子局とが接続されている旨を報知する接続報知手段を設けたことを特徴とする無線通信装置。
【請求項１８】
請求項１６又は１７記載の無線通信装置において、
前記無線親局の接続報知手段が、前記無線子局から前記接続報知要求信号を受信している間、当該無線親局と前記無線子局とが接続されている旨をＬＥＤ表示部又は文字表示部等の表示手段を用いて報知する手段であることを特徴とする無線通信装置。
【請求項１９】
請求項１６又は１７記載の無線通信装置において、
前記無線親局の接続報知手段が、前記無線子局から前記接続報知要求信号を受信している間、当該無線親局と前記無線子局とが接続されている旨をスピーカ又はブザー等の音出力手段を用いて報知する手段であることを特徴とする無線通信装置。
【請求項２０】
請求項１５乃至１９記載の無線通信装置において、
前記無線子局に、前記親局情報受信モード設定手段によるモード設定がなされた場合に、その旨を報知する親局情報受信モード報知手段を設け、
前記無線親局に、前記親局情報送信モード設定手段によるモード設定がなされた場合に、その旨を報知する親局情報送信モード報知手段を設けたことを特徴とする無線通信装置。
【請求項２１】
請求項２０記載の無線通信装置において、
前記無線子局の親局情報受信モード報知手段が、前記親局情報受信モード設定手段によるモード設定がなされた場合に、その旨をＬＥＤ表示部又は文字表示部等の表示手段を用いて報知する手段であり、
前記無線親局の親局情報送信モード報知手段が、前記親局情報送信モード設定手段によるモード設定がなされた場合に、その旨をＬＥＤ表示部又は文字表示部等の表示手段を用いて報知する手段であることを特徴とする無線通信装置。
【請求項２２】
請求項２１記載の無線通信装置において、
前記無線子局の親局情報受信モード報知手段が、前記親局情報受信モード設定手段によるモード設定がなされた場合に、その旨をスピーカ等の音出力手段を用いて報知する手段であり、
前記無線親局の親局情報送信モード報知手段が、前記親局情報送信モード設定手段によるモード設定がなされた場合に、その旨をスピーカ等の音出力手段を用いて報知する手段であることを特徴とする無線通信装置。
【請求項２３】
請求項１５乃至２２のいずれか一項に記載の無線通信装置において、
前記無線子局に、前記親局情報受信モード設定手段によるモード設定後、予め設定された所定時間内に前記無線親局の識別情報を受信した場合に、その受信が成功したと判断し、その旨を報知する親局情報受信成功報知手段を設けたことを特徴とする無線通信装置。
【請求項２４】
請求項２３記載の無線通信装置において、
前記無線子局の親局情報受信成功報知手段が、前記所定時間内に前記無線親局の識別情報を受信した場合に、その受信が成功したと判断し、その旨をＬＥＤ表示部又は文字表示部等の表示手段を用いて報知する手段であることを特徴とする無線通信装置。
【請求項２５】
請求項２３記載の無線通信装置において、
前記無線子局の親局情報受信成功報知手段が、前記所定時間内に前記無線親局の識別情報を受信した場合に、その受信が成功したと判断し、その旨をスピーカ等の音出力手段を用いて報知する手段であることを特徴とする無線通信装置。
【請求項２６】
請求項１５乃至２５のいずれか一項に記載の無線通信装置において、
前記無線子局に、前記親局情報受信モード設定手段によるモード設定後、予め設定された所定時間内に前記無線親局の識別情報を受信できなかった場合に、その受信が失敗したと判断し、その旨を報知する親局情報受信失敗報知手段を設けたことを特徴とする無線通信装置。
【請求項２７】
請求項２６記載の無線通信装置において、
前記無線子局の親局情報受信失敗報知手段が、前記所定時間内に前記無線親局の識別情報を受信できなかった場合に、その受信が失敗したと判断し、その旨をＬＥＤ表示部又は文字表示部等の表示手段を用いて報知する手段であることを特徴とする無線通信装置。
【請求項２８】
請求項２６記載の無線通信装置において、
前記無線子局の親局情報受信失敗報知手段が、前記所定時間内に前記無線親局の識別情報を受信できなかった場合に、その受信が失敗したと判断し、その旨をスピーカ等の音出力手段を用いて報知する手段であることを特徴とする無線通信装置。
【請求項２９】
中央制御装置に公衆回線等の通信回線を介して接続されるデータ通信装置と複写装置等の画像形成装置との間を無線化するために、該データ通信装置に有線接続あるいは内蔵される無線親局および前記画像形成装置に有線接続あるいは内蔵される無線子局とからなる無線通信装置における親局情報登録方法において、
前記無線子局が、前記無線親局の識別情報の送信を要求する親局情報送信要求モードが設定された場合に、前記無線親局の識別情報の送信要求を示す親局情報送信要求信号を該無線親局へ無線送信し、
前記無線親局が、自局の識別情報を送信する親局情報送信モードの設定中に、前記無線子局から前記親局情報送信要求信号を受信した場合に、自局の識別情報を前記無線子局へ無線送信し、
前記無線子局が、前記無線子局の識別情報を受信した場合に、その受信した前記無線親局の識別情報を登録することを特徴とする親局情報登録方法。
【請求項３０】
中央制御装置に公衆回線等の通信回線を介して接続されるデータ通信装置と複写装置等の画像形成装置との間を無線化するために、該データ通信装置に有線接続あるいは内蔵される無線親局および前記画像形成装置に有線接続あるいは内蔵される無線子局とからなる無線通信装置における親局情報登録方法において、
前記無線子局が、前記無線親局の識別情報の送信を要求する親局情報送信要求モードが設定された場合に、前記無線親局の識別情報の送信要求を示す親局情報送信要求信号を該無線親局へ無線送信し、
前記無線親局が、自局の識別情報を送信する親局情報送信モードの設定中に、前記無線子局から前記親局情報送信要求信号を受信した場合に、自局の識別情報を前記無線子局へ無線送信し、
前記無線子局が、前記無線親局の識別情報を受信した後、自局と前記無線親局との接続の有無を確認するための報知要求が指示された場合に、その報知要求を示す接続報知要求信号を前記無線親局へ無線送信し、その後前記無線親局の識別情報の登録が指示された場合に、先に受信した前記無線親局の識別情報を登録し、
前記無線親局が、前記無線子局から前記接続報知要求信号を受信した場合に、自局と前記無線子局とが接続されている旨を報知することを特徴とする親局情報登録方法。
【請求項３１】
中央制御装置に公衆回線等の通信回線を介して接続されるデータ通信装置と複写装置等の画像形成装置との間を無線化するために、該データ通信装置に有線接続あるいは内蔵される無線親局および前記画像形成装置に有線接続あるいは内蔵される無線子局とからなる無線通信装置における親局情報登録方法において、
前記無線子局が、前記無線親局の識別情報の送信を要求する親局情報送信要求モードが設定された場合に、前記無線親局の識別情報の送信要求を示す親局情報送信要求信号を該無線親局へ無線送信し、
前記無線親局が、自局の識別情報を送信する親局情報送信モードの設定中に、前記無線子局から前記親局情報送信要求信号を受信した場合に、自局の識別情報を前記無線子局へ無線送信し、
前記無線子局が、前記無線親局の識別情報を受信した場合に、自局と前記無線親局との接続の有無を確認するための報知要求を示す接続報知要求信号を前記無線親局へ無線送信し、その後前記無線親局の識別情報の登録が指示された場合に、先に受信した前記無線親局の識別情報を登録し、
前記無線親局が、前記無線子局から前記接続報知要求信号を受信した場合に、自局と前記無線子局とが接続されている旨を報知することを特徴とする親局情報登録方法。
【請求項３２】
請求項２９乃至３１のいずれか一項に記載の親局情報登録方法において、
前記無線子局が、前記親局情報送信要求手段によって前記無線親局へ前記親局情報送信要求信号を無線送信した後、予め設定された所定時間内に前記無線親局の識別情報を受信した場合には、その受信が成功したと判断してその旨を報知し、前記所定時間内に前記無線親局の識別情報を受信できなかった場合には、その受信が失敗したと判断してその旨を報知することを特徴とする親局情報登録方法。
【請求項３３】
中央制御装置に公衆回線等の通信回線を介して接続されるデータ通信装置と複写装置等の画像形成装置との間を無線化するために、該データ通信装置に有線接続あるいは内蔵される無線親局および前記画像形成装置に有線接続あるいは内蔵される無線子局とからなる無線通信装置における親局情報登録方法において、
前記無線親局が、自局の識別情報を送信する親局情報送信モードの設定中は、自局の識別情報を前記無線子局へ繰り返し無線送信し、
前記無線子局が、前記無線親局の識別情報を受信する親局情報受信モードの設定中に、前記無線子局の識別情報を受信した場合に、その受信した前記無線親局の識別情報を登録することを特徴とする親局情報登録方法。
【請求項３４】
中央制御装置に公衆回線等の通信回線を介して接続されるデータ通信装置と複写装置等の画像形成装置との間を無線化するために、該データ通信装置に有線接続あるいは内蔵される無線親局および前記画像形成装置に有線接続あるいは内蔵される無線子局とからなる無線通信装置における親局情報登録方法において、
前記無線親局が、自局の識別情報を送信する親局情報送信モードの設定中は、自局の識別情報を前記無線子局へ繰り返し無線送信し、
前記無線子局が、前記無線親局の識別情報を受信する親局情報受信モードの設定中に、前記無線子局の識別情報を受信した後、自局と前記無線親局との接続の有無を確認するための報知要求が指示された場合に、その報知要求を示す接続報知要求信号を前記無線親局へ無線送信し、その後前記無線親局の識別情報の登録が指示された場合に、先に受信した前記無線親局の識別情報を登録し、
前記無線親局が、前記無線子局から前記接続報知要求信号を受信した場合に、自局と前記無線子局とが接続されている旨を報知することを特徴とする親局情報登録方法。
【請求項３５】
中央制御装置に公衆回線等の通信回線を介して接続されるデータ通信装置と複写装置等の画像形成装置との間を無線化するために、該データ通信装置に有線接続あるいは内蔵される無線親局および前記画像形成装置に有線接続あるいは内蔵される無線子局とからなる無線通信装置における親局情報登録方法において、
前記無線親局が、自局の識別情報を送信する親局情報送信モードの設定中は、自局の識別情報を前記無線子局へ繰り返し無線送信し、
前記無線子局が、前記無線親局の識別情報を受信する親局情報受信モードの設定中に、前記無線子局の識別情報を受信した場合に、自局と前記無線親局との接続の有無を確認するための報知要求を示す接続報知要求信号を前記無線親局へ無線送信し、その後前記無線親局の識別情報の登録が指示された場合に、先に受信した前記無線親局の識別情報を登録し、
前記無線親局が、前記無線子局から前記接続報知要求信号を受信した場合に、自局と前記無線子局とが接続されている旨を報知することを特徴とする親局情報登録方法。
【請求項３６】
請求項３３乃至３５のいずれか一項に記載の親局情報登録方法において、
前記無線子局が、前記親局情報受信モードを設定した後、予め設定された所定時間内に前記無線親局の識別情報を受信した場合には、その受信が成功したと判断してその旨を報知し、前記所定時間内に前記無線親局の識別情報を受信できなかった場合には、その受信が失敗したと判断してその旨を報知することを特徴とする親局情報登録方法。
【請求項３７】
複写装置等の画像形成装置と、該画像形成装置を管理する中央制御装置と、該中央制御装置に公衆回線等の通信回線を介して接続され、該中央制御装置と前記画像形成装置との通信を制御するデータ通信装置と、該データ通信装置と前記画像形成装置との間を無線化するために、該データ通信装置に有線接続あるいは内蔵される無線親局および前記画像形成装置に有線接続あるいは内蔵される無線子局とからなる無線通信装置とを備えた画像形成装置管理システムにおいて、
前記無線通信装置の無線子局に、前記無線親局の識別情報の送信を要求する親局情報送信要求モードを設定する親局情報送信要求モード設定手段と、該手段によるモード設定がなされた場合に、前記無線親局の識別情報の送信要求を示す親局情報送信要求信号を該無線親局へ無線送信する親局情報送信要求手段と、前記親局情報送信要求手段による前記無線親局への無線送信に対する応答情報として、該無線親局の識別情報を受信した場合に、その受信した前記無線親局の識別情報を登録する親局情報登録手段とを設け、
前記無線通信装置の無線親局に、当該無線親局の識別情報を送信する親局情報送信モードを設定する親局情報送信モード設定手段と、該手段によるモード設定中に前記無線子局から前記親局情報送信要求信号を受信した場合に、当該無線親局の識別情報を前記無線子局へ無線送信する手段とを設けたことを特徴とする画像形成装置管理システム。
【請求項３８】
請求項３７記載の画像形成装置管理システムにおいて、
前記無線通信装置の無線子局に、前記無線親局の識別情報の登録を指示する親局情報登録指示手段と、当該無線子局と前記無線親局との接続の有無を確認するための報知要求を指示する接続報知要求指示手段と、該手段による指示があった場合に、当該無線子局と前記無線親局との接続の有無を確認するための報知要求を示す接続報知要求信号を該無線親局へ無線送信する接続報知要求手段とを設け、
前記無線通信装置の無線子局の親局情報登録手段が、前記親局情報送信要求手段による前記無線親局への無線送信に対する応答情報として、該無線親局の識別情報を受信した後、前記親局情報登録指示手段による指示があった場合に、その受信した前記無線親局の識別情報を登録する手段であり、
前記無線通信装置の無線親局に、前記無線子局から前記接続報知要求信号を受信した場合に、当該無線親局と前記無線子局とが接続されている旨を報知する接続報知手段を設けたことを特徴とする画像形成装置管理システム。
【請求項３９】
請求項３７記載の画像形成装置管理システムにおいて、
前記無線通信装置の無線子局に、前記無線親局の識別情報の登録を指示する親局情報登録指示手段と、前記親局情報送信要求手段による前記無線親局への無線送信に対する応答情報として、該無線親局の識別情報を受信した場合に、当該無線子局と前記無線親局との接続の有無を確認するための報知要求を示す接続報知要求信号を該無線親局へ無線送信する接続報知要求手段とを設け、
前記無線通信装置の無線子局の親局情報登録手段が、前記親局情報送信要求手段による前記無線親局への無線送信に対する応答情報として、該無線親局の識別情報を受信した後、前記親局情報登録指示手段による指示があった場合に、その受信した前記無線親局の識別情報を登録する手段であり、
前記無線通信装置の無線親局に、前記無線子局から前記接続報知要求信号を受信した場合に、当該無線親局と前記無線子局とが接続されている旨を報知する接続報知手段を設けたことを特徴とする画像形成装置管理システム。
【請求項４０】
請求項３７乃至３９のいずれか一項に記載の画像形成装置管理システムにおいて、
前記無線通信装置の無線子局に、前記親局情報送信要求手段によって前記無線親局へ前記親局情報送信要求信号を無線送信した後、予め設定された所定時間内に前記無線親局の識別情報を受信した場合に、その受信が成功したと判断し、その旨を報知する親局情報受信成功報知手段と、前記所定時間内に前記無線親局の識別情報を受信できなかった場合に、その受信が失敗したと判断し、その旨を報知する親局情報受信失敗手段とを設けたことを特徴とする画像形成装置管理システム。
【請求項４１】
複写装置等の画像形成装置と、該画像形成装置を管理する中央制御装置と、該中央制御装置に公衆回線等の通信回線を介して接続され、該中央制御装置と前記画像形成装置との通信を制御するデータ通信装置と、該データ通信装置と前記画像形成装置との間を無線化するために、該データ通信装置に有線接続あるいは内蔵される無線親局および前記画像形成装置に有線接続あるいは内蔵される無線子局とからなる無線通信装置とを備えた画像形成装置管理システムにおいて、
前記無線通信装置の無線子局に、前記無線親局の識別情報を受信する親局情報受信モードを設定する親局情報受信モード設定手段と、前記無線親局の識別情報の登録を指示する親局情報登録指示手段と、前記親局情報受信モード設定手段によるモード設定中に前記無線親局の識別情報を受信した場合に、その受信した前記無線親局の識別情報を登録する親局情報登録手段とを設け、
前記無線通信装置の無線親局に、当該無線親局の識別情報を送信する親局情報送信モードを設定する親局情報送信モード設定手段と、該手段によるモード設定中は当該無線親局の識別情報を前記無線子局へ繰り返し無線送信する手段とを設けたことを特徴とする画像形成装置管理システム。
【請求項４２】
請求項４１記載の画像形成装置管理システムにおいて、
前記無線通信装置の無線子局に、前記無線親局の識別情報の登録を指示する親局情報登録指示手段と、当該無線子局と前記無線親局との接続の有無を確認するための報知要求を指示する接続報知要求指示手段と、該手段による指示があった場合に、当該無線子局と前記無線親局との接続の有無を確認するための報知要求を示す接続報知要求信号を該無線親局へ無線送信する接続報知要求手段とを設け、
前記無線通信装置の無線子局の親局情報登録手段が、前記親局情報受信モード設定手段によるモード設定中に前記無線親局の識別情報を受信した後、前記親局情報登録指示手段による指示があった場合に、その受信した前記無線親局の識別情報を登録する手段であり、
前記無線通信装置の無線親局に、前記無線子局から前記接続報知要求信号を受信した場合に、当該無線親局と前記無線子局とが接続されている旨を報知する接続報知手段を設けたことを特徴とする画像形成装置管理システム。
【請求項４３】
請求項４１記載の画像形成装置管理システムにおいて、
前記無線通信装置の無線子局に、前記無線親局の識別情報の登録を指示する親局情報登録指示手段と、前記親局情報受信モード設定手段によるモード設定中に前記無線親局の識別情報を受信した場合に、当該無線子局と前記無線親局との接続の有無を確認するための報知要求を示す接続報知要求信号を該無線親局へ無線送信する接続報知要求手段とを設け、
前記無線通信装置の無線子局の親局情報登録手段が、前記親局情報受信モード設定手段によるモード設定中に前記無線親局の識別情報を受信した後、前記親局情報登録指示手段による指示があった場合に、その受信した前記無線親局の識別情報を登録する手段であり、
前記無線通信装置の無線親局に、前記無線子局から前記接続報知要求信号を受信した場合に、当該無線親局と前記無線子局とが接続されている旨を報知する接続報知手段を設けたことを特徴とする画像形成装置管理システム。
【請求項４４】
請求項４１乃至４３のいずれか一項に記載の画像形成装置管理システムにおいて、
前記無線通信装置の無線子局に、前記親局情報受信モード設定手段によるモード設定後、予め設定された所定時間内に前記無線親局の識別情報を受信した場合に、その受信が成功したと判断し、その旨を報知する親局情報受信成功報知手段と、前記所定時間内に前記無線親局の識別情報を受信できなかった場合に、その受信が失敗したと判断し、その旨を報知する親局情報受信失敗報知手段とを設けたことを特徴とする画像形成装置管理システム。
【発明の詳細な説明】
【０００１】
【発明の属する技術分野】
この発明は、無線通信装置とそれを用いた画像形成装置管理システムおよび親局情報登録方法に関する。
【０００２】
【従来の技術】
一般に、特定小電力無線等の無線通信装置では、異なる無線システム間で直接的な通信がなされないように、それぞれの無線システム固有のＩＤ（識別情報）を設定し、無線システムをグループ分けしている。
【０００３】
例えば、コードレスホンでは、同一メーカのコードレスホンが隣接して設置されても、一方のコードレスホンの無線子局（子機）が隣接するもう一方のコードレスホンの無線親局（親機）と接続しないように（無線通信回線を形成しないように）、それぞれが異なるＩＤを所有するようにしている。
そのため、これらの無線通信装置では、同一のＩＤを設定してある無線親局と無線子局をセットで販売するのが一般的である。
【０００４】
一方、画像形成装置管理システムとしては、不特定多数のユーザ（顧客）のオフィス等に設置された１台又は複数台の複写装置等の画像形成装置をデータ通信装置および公衆回線（電話回線）又は専用回線等の通信回線を利用して、サービスセンタ（販売，サービスの拠点等）に設置されている中央制御装置（ホストマシン）と接続可能にし、その中央制御装置により通信回線およびデータ通信装置を介して画像形成装置を遠隔管理するようにしたものが一般に知られている。
【０００５】
このような画像形成管理システムにおいては、中央制御装置に通信回線を介して接続され、画像形成装置との通信を制御するデータ通信装置と、その画像形成装置との間をコードレス化（無線化）する要求が多くなっている。
【０００６】
これは、データ通信装置と画像形成装置との間を上述したように有線接続する場合、長距離にわたって通信線を施設しなければならなかったり、画像形成装置の位置を変更する度に、通信線の施設を張り替えなければならなかったりして、労力とコストがかかることや、通信線に足を引っかけて切断してしまい、遠隔管理機能に支障をきたしてしまったりすることが多いことなどによる。
【０００７】
【発明が解決しようとする課題】
このような画像形成装置管理システムにおいて、データ通信装置と画像形成装置との間を無線化する場合、データ通信装置に無線通信装置の無線親局を、画像形成装置に無線子局をそれぞれ有線接続あるいは内蔵する必要があるが、その場合、無線親局に対する無線子局の数は一定でなく、例えば図１や図２に示すように１：１の場合があったり、１：５の場合があったりする。
【０００８】
また、例えば図３に示すように、ユーザの都合で画像形成装置が追加されることによって無線子局が追加されることも少なくない。
よって、この場合、無線親局と無線子局をセットで販売することは難しい。
したがって、上述したようなシステムにおいては、無線親局または無線子局を設置する際に、それぞれが共通のＩＤになるように設定できることが望ましい。
【０００９】
これに対処する手段としては、無線通信装置の無線親局の製造時に、その無線親局に予め固有のＩＤを設定しておき、無線子局をユーザのオフィス等に設置する際に、無線親局のＩＤを読み取って通信対象となる無線子局に登録する方法が考えられるが、そのための特別なツール（パーソナルコンピュータ等）を用意しなければならなかった（例えば特開平１０−２６２２７８号公報参照）。
【００１０】
また、特別なツールを用いなくても、無線親局上の所定のキー操作により、その無線親局が自局が所有するＩＤ（親局ＩＤ）を通信対象となる無線子局に無線送信して登録させる方法も考えられるが、例えば図４に示すように、複数グループの無線システム（画像形成装置，データ通信装置，およびそれらを無線化するための無線親局と無線子局からなる無線通信装置からなるもの）を隣接した地域に同時に設置する場合、あるグループの無線親局からその識別情報である親局ＩＤを同一グループの無線子局に無線送信させて登録させる際に、そのグループの近くに他のグループの無線子局があると、その無線子局が他のグループの無線親局の親局ＩＤを受信して登録してしまう恐れがある。
【００１１】
そこで、あるグループの無線親局から親局ＩＤを同一グループの無線子局に無線送信させて登録させる際に、ファクシミリ通信の技術を利用することも考えられる。
【００１２】
すなわち、あるファクシミリ装置が発呼してファクシミリ送信を行なう際に通信対象となるファクシミリ装置を特定するための制御を行なうが、その制御を無線通信制御に加え、あるグループの無線親局がその無線通信制御を行なうことによって同一グループ内の無線子局（通信対象となる無線子局）を特定し、そこに自局の親局ＩＤを無線送信して登録させる方法が考えられる。
【００１３】
しかしながら、無線子局への親局ＩＤの登録は、実際には、少なくともその無線子局が画像形成装置と共に設置される前（少なくとも無線子局が画像形成装置に有線接続又は内蔵される前）に行なうべきものであり、当然ながらあるグループの無線親局は上述したファクシミリ通信技術を利用することによって設置前の同一グループ内の無線子局を特定し、そこに自局の親局ＩＤを登録させることはできないと思われる。
【００１４】
もし仮に、あるグループの無線親局がファクシミリ通信技術を利用することによって設置前の同一グループ内の無線子局に親局ＩＤを登録させることができたとしても、１台の無線親局の親局ＩＤを複数台の無線子局に順次連続的に登録させることはできない。
【００１５】
この発明は上記の問題点に鑑みてなされたものであり、画像形成装置管理システムを構成する画像形成装置とデータ通信装置との間を無線通信装置を用いて無線化する場合、パーソナルコンピュータ等の特別なツールを用いなくても、無線通信装置の無線子局に通信対象となる無線親局の識別情報（親局ＩＤ）を登録できるようにすることを目的とする。また、１台の無線親局の識別情報を複数台の無線子局に順次連続的に登録できるようにすることも目的とする。
【００１６】
【課題を解決するための手段】
この発明は、上記の目的を達成するため、無線通信装置とそれを使用した画像形成装置管理システムおよび親局情報（無線親局の識別情報）登録方法を提供する。
【００１７】
請求項１の発明による無線通信装置は、中央制御装置に公衆回線等の通信回線を介して接続されるデータ通信装置と複写装置等の画像形成装置との間を無線化するために、該データ通信装置に有線接続あるいは内蔵される無線親局および上記画像形成装置に有線接続あるいは内蔵される無線子局とからなる無線通信装置において、次のようにしたことを特徴とする。
【００１８】
すなわち、上記無線子局に、上記無線親局の識別情報の送信を要求する親局情報送信要求モードを設定する親局情報送信要求モード設定手段と、該手段によるモード設定がなされた場合に、上記無線親局の識別情報の送信要求を示す親局情報送信要求信号を該無線親局へ無線送信する親局情報送信要求手段と、上記親局情報送信要求手段による上記無線親局への無線送信に対する応答情報として、該無線親局の識別情報を受信した場合に、その受信した上記無線親局の識別情報を登録する親局情報登録手段とを設け、上記無線親局に、当該無線親局の識別情報を送信する親局情報送信モードを設定する親局情報送信モード設定手段と、該手段によるモード設定中に上記無線子局から上記親局情報送信要求信号を受信した場合に、当該無線親局の識別情報を上記無線子局へ無線送信する手段とを設けたものである。
【００１９】
請求項２の発明による無線通信装置は、請求項１の無線通信装置において、上記無線子局に、上記無線親局の識別情報の登録を指示する親局情報登録指示手段と、当該無線子局と上記無線親局との接続の有無を確認するための報知要求を指示する接続報知要求指示手段と、該手段による指示があった場合に、当該無線子局と上記無線親局との接続の有無を確認するための報知要求を示す接続報知要求信号を該無線親局へ無線送信する接続報知要求手段とを設け、上記無線子局の親局情報登録手段を、上記親局情報送信要求手段による上記無線親局への無線送信に対する応答情報として、該無線親局の識別情報を受信した後、上記親局情報登録指示手段による指示があった場合に、その受信した上記無線親局の識別情報を登録する手段とし、上記無線親局に、上記無線子局から上記接続報知要求信号を受信した場合に、当該無線親局と上記無線子局とが接続されている旨を報知する接続報知手段を設けたものである。
【００２０】
請求項３の発明による無線通信装置は、請求項１の無線通信装置において、上記無線子局に、上記無線親局の識別情報の登録を指示する親局情報登録指示手段と、上記親局情報送信要求手段による上記無線親局への無線送信に対する応答情報として、該無線親局の識別情報を受信した場合に、当該無線子局と上記無線親局との接続の有無を確認するための報知要求を示す接続報知要求信号を該無線親局へ無線送信する接続報知要求手段とを設け、上記無線子局の親局情報登録手段を、上記親局情報送信要求手段による上記無線親局への無線送信に対する応答情報として、該無線親局の識別情報を受信した後、上記親局情報登録指示手段による指示があった場合に、その受信した上記無線親局の識別情報を登録する手段とし、上記無線親局に、上記無線子局から上記接続報知要求信号を受信した場合に、当該無線親局と上記無線子局とが接続されている旨を報知する接続報知手段を設けたものである。
【００２１】
請求項４の発明による無線通信装置は、請求項２又は３の無線通信装置において、上記無線親局の接続報知手段を、上記無線子局から上記接続報知要求信号を受信している間、当該無線親局と上記無線子局とが接続されている旨をＬＥＤ表示部又は文字表示部等の表示手段を用いて報知する手段としたものである。
【００２２】
請求項５の発明による無線通信装置は、請求項２又は３の無線通信装置において、上記無線親局の接続報知手段を、上記無線子局から上記接続報知要求信号を受信している間、当該無線親局と上記無線子局とが接続されている旨をスピーカ又はブザー等の音出力手段を用いて報知する手段としたものである。
【００２３】
請求項６の発明による無線通信装置は、請求項１〜５のいずれかの無線通信装置において、上記無線子局に、上記親局情報送信要求モード設定手段によるモード設定がなされた場合に、その旨を報知する親局情報送信要求モード報知手段を設け、上記無線親局に、上記親局情報送信モード設定手段によるモード設定がなされた場合に、その旨を報知する親局情報送信モード報知手段を設けたものである。
【００２４】
請求項７の発明による無線通信装置は、請求項６の無線通信装置において、上記無線子局の親局情報送信要求モード報知手段を、上記親局情報送信要求モード設定手段によるモード設定がなされた場合に、その旨をＬＥＤ表示部又は文字表示部等の表示手段を用いて報知する手段とし、上記無線親局の親局情報送信モード報知手段を、上記親局情報送信モード設定手段によるモード設定がなされた場合に、その旨をＬＥＤ表示部又は文字表示部等の表示手段を用いて報知する手段としたものである。
【００２５】
請求項８の発明による無線通信装置は、請求項６の無線通信装置において、上記無線子局の親局情報送信要求モード報知手段を、上記親局情報送信要求モード設定手段によるモード設定がなされた場合に、その旨をスピーカ等の音出力手段を用いて報知する手段とし、上記無線親局の親局情報送信モード報知手段を、上記親局情報送信モード設定手段によるモード設定がなされた場合に、その旨をスピーカ等の音出力手段を用いて報知する手段としたものである。
【００２６】
請求項９の発明による無線通信装置は、請求項１〜８のいずれかの無線通信装置において、上記無線子局に、上記親局情報送信要求手段によって上記無線親局へ上記親局情報送信要求信号を無線送信した後、予め設定された所定時間内に上記無線親局の識別情報を受信した場合に、その受信が成功したと判断し、その旨を報知する親局情報受信成功報知手段を設けたものである。
【００２７】
請求項１０の発明による無線通信装置は、請求項９の無線通信装置において、上記無線子局の親局情報受信成功報知手段を、上記所定時間内に上記無線親局の識別情報を受信した場合に、その受信が成功したと判断し、その旨をＬＥＤ表示部又は文字表示部等の表示手段を用いて報知する手段としたものである。
【００２８】
請求項１１の発明による無線通信装置は、請求項９の無線通信装置において、上記無線子局の親局情報受信成功報知手段を、上記所定時間内に上記無線親局の識別情報を受信した場合に、その受信が成功したと判断し、その旨をスピーカ等の音出力手段を用いて報知する手段としたものである。
【００２９】
請求項１２の発明による無線通信装置は、請求項１〜１１のいずれかの無線通信装置において、上記無線子局に、上記親局情報送信要求手段によって上記無線親局へ上記親局情報送信要求信号を無線送信した後、予め設定された所定時間内に上記無線親局の識別情報を受信できなかった場合に、その受信が失敗したと判断し、その旨を報知する親局情報受信失敗報知手段を設けたものである。
【００３０】
請求項１３の発明による無線通信装置は、請求項１２の無線通信装置において、上記無線子局の親局情報受信失敗報知手段を、上記所定時間内に上記無線親局の識別情報を受信できなかった場合に、その受信が失敗したと判断し、その旨をＬＥＤ表示部又は文字表示部等の表示手段を用いて報知する手段としたものである。
【００３１】
請求項１４の発明による無線通信装置は、請求項１２の無線通信装置において、上記無線子局の親局情報受信失敗報知手段を、上記所定時間内に上記無線親局の識別情報を受信できなかった場合に、その受信が失敗したと判断し、その旨をスピーカ等の音出力手段を用いて報知する手段としたものである。
【００３２】
請求項１５の発明による無線通信装置は、中央制御装置に公衆回線等の通信回線を介して接続されるデータ通信装置と複写装置等の画像形成装置との間を無線化するために、該データ通信装置に有線接続あるいは内蔵される無線親局および上記画像形成装置に有線接続あるいは内蔵される無線子局とからなる無線通信装置において、次のようにしたことを特徴とする。
【００３３】
すなわち、上記無線子局に、上記無線親局の識別情報を受信する親局情報受信モードを設定する親局情報受信モード設定手段と、上記親局情報受信モード設定手段によるモード設定中に上記無線親局の識別情報を受信した場合に、その受信した上記無線親局の識別情報を登録する親局情報登録手段とを設け、上記無線親局に、当該無線親局の識別情報を送信する親局情報送信モードを設定する親局情報送信モード設定手段と、該手段によるモード設定中は当該無線親局の識別情報を上記無線子局へ繰り返し無線送信する手段とを設けたものである。
【００３４】
請求項１６の発明による無線通信装置は、請求項１５の無線通信装置において、上記無線子局に、上記無線親局の識別情報の登録を指示する親局情報登録指示手段と、当該無線子局と上記無線親局との接続の有無を確認するための報知要求を指示する接続報知要求指示手段と、該手段による指示があった場合に、当該無線子局と上記無線親局との接続の有無を確認するための報知要求を示す接続報知要求信号を該無線親局へ無線送信する接続報知要求手段とを設け、上記無線子局の親局情報登録手段を、上記親局情報受信モード設定手段によるモード設定中に上記無線親局の識別情報を受信した後、上記親局情報登録指示手段による指示があった場合に、その受信した上記無線親局の識別情報を登録する手段とし、上記無線親局に、上記無線子局から上記接続報知要求信号を受信した場合に、当該無線親局と上記無線子局とが接続されている旨を報知する接続報知手段を設けたものである。
【００３５】
請求項１７の発明による無線通信装置は、請求項１５の無線通信装置において、上記無線子局に、上記無線親局の識別情報の登録を指示する親局情報登録指示手段と、上記親局情報受信モード設定手段によるモード設定中に上記無線親局の識別情報を受信した場合に、当該無線子局と上記無線親局との接続の有無を確認するための報知要求を示す接続報知要求信号を該無線親局へ無線送信する接続報知要求手段とを設け、上記無線子局の親局情報登録手段を、上記親局情報受信モード設定手段によるモード設定中に上記無線親局の識別情報を受信した後、上記親局情報登録指示手段による指示があった場合に、その受信した上記無線親局の識別情報を登録する手段とし、上記無線親局に、上記無線子局から上記接続報知要求信号を受信した場合に、当該無線親局と上記無線子局とが接続されている旨を報知する接続報知手段を設けたものである。
【００３６】
請求項１８の発明による無線通信装置は、請求項１６又は１７の無線通信装置において、上記無線親局の接続報知手段を、上記無線子局から上記接続報知要求信号を受信している間、当該無線親局と上記無線子局とが接続されている旨をＬＥＤ表示部又は文字表示部等の表示手段を用いて報知する手段としたものである。
【００３７】
請求項１９の発明による無線通信装置は、請求項１６又は１７の無線通信装置において、上記無線親局の接続報知手段を、上記無線子局から上記接続報知要求信号を受信している間、当該無線親局と上記無線子局とが接続されている旨をスピーカ又はブザー等の音出力手段を用いて報知する手段としたものである。
【００３８】
請求項２０の発明による無線通信装置は、請求項１５〜１９の無線通信装置において、上記無線子局に、上記親局情報受信モード設定手段によるモード設定がなされた場合に、その旨を報知する親局情報受信モード報知手段を設け、上記無線親局に、上記親局情報送信モード設定手段によるモード設定がなされた場合に、その旨を報知する親局情報送信モード報知手段を設けたものである。
【００３９】
請求項２１の発明による無線通信装置は、請求項２０の無線通信装置において、上記無線子局の親局情報受信モード報知手段を、上記親局情報受信モード設定手段によるモード設定がなされた場合に、その旨をＬＥＤ表示部又は文字表示部等の表示手段を用いて報知する手段とし、上記無線親局の親局情報送信モード報知手段を、上記親局情報送信モード設定手段によるモード設定がなされた場合に、その旨をＬＥＤ表示部又は文字表示部等の表示手段を用いて報知する手段としたものである。
【００４０】
請求項２２の発明による無線通信装置は、請求項２１の無線通信装置において、上記無線子局の親局情報受信モード報知手段を、上記親局情報受信モード設定手段によるモード設定がなされた場合に、その旨をスピーカ等の音出力手段を用いて報知する手段とし、上記無線親局の親局情報送信モード報知手段を、上記親局情報送信モード設定手段によるモード設定がなされた場合に、その旨をスピーカ等の音出力手段を用いて報知する手段としたものである。
【００４１】
請求項２３の発明による無線通信装置は、請求項１５〜２２のいずれかの無線通信装置において、上記無線子局に、上記親局情報受信モード設定手段によるモード設定後、予め設定された所定時間内に上記無線親局の識別情報を受信した場合に、その受信が成功したと判断し、その旨を報知する親局情報受信成功報知手段を設けたものである。
【００４２】
請求項２４の発明による無線通信装置は、請求項２３の無線通信装置において、上記無線子局の親局情報受信成功報知手段を、上記所定時間内に上記無線親局の識別情報を受信した場合に、その受信が成功したと判断し、その旨をＬＥＤ表示部又は文字表示部等の表示手段を用いて報知する手段としたものである。
【００４３】
請求項２５の発明による無線通信装置は、請求項２３の無線通信装置において、上記無線子局の親局情報受信成功報知手段を、上記所定時間内に上記無線親局の識別情報を受信した場合に、その受信が成功したと判断し、その旨をスピーカ等の音出力手段を用いて報知する手段としたものである。
【００４４】
請求項２６の発明による無線通信装置は、請求項１５〜２５のいずれかの無線通信装置において、上記無線子局に、上記親局情報受信モード設定手段によるモード設定後、予め設定された所定時間内に上記無線親局の識別情報を受信できなかった場合に、その受信が失敗したと判断し、その旨を報知する親局情報受信失敗報知手段を設けたものである。
【００４５】
請求項２７の発明による無線通信装置は、請求項２６の無線通信装置において、上記無線子局の親局情報受信失敗報知手段を、上記所定時間内に上記無線親局の識別情報を受信できなかった場合に、その受信が失敗したと判断し、その旨をＬＥＤ表示部又は文字表示部等の表示手段を用いて報知する手段としたものである。
【００４６】
請求項２８の発明による無線通信装置は、請求項２６の無線通信装置において、上記無線子局の親局情報受信失敗報知手段を、上記所定時間内に上記無線親局の識別情報を受信できなかった場合に、その受信が失敗したと判断し、その旨をスピーカ等の音出力手段を用いて報知する手段としたものである。
【００４７】
請求項２９の発明による親局情報登録方法は、中央制御装置に公衆回線等の通信回線を介して接続されるデータ通信装置と複写装置等の画像形成装置との間を無線化するために、該データ通信装置に有線接続あるいは内蔵される無線親局および上記画像形成装置に有線接続あるいは内蔵される無線子局とからなる無線通信装置における親局情報登録方法において、次のようにしたことを特徴とする。
【００４８】
すなわち、上記無線子局が、上記無線親局の識別情報の送信を要求する親局情報送信要求モードが設定された場合に、上記無線親局の識別情報の送信要求を示す親局情報送信要求信号を該無線親局へ無線送信し、上記無線親局が、自局の識別情報を送信する親局情報送信モードの設定中に、上記無線子局から上記親局情報送信要求信号を受信した場合に、自局の識別情報を上記無線子局へ無線送信し、上記無線子局が、上記無線子局の識別情報を受信した場合に、その受信した上記無線親局の識別情報を登録するものである。
【００４９】
請求項３０の発明による親局情報登録方法は、中央制御装置に公衆回線等の通信回線を介して接続されるデータ通信装置と複写装置等の画像形成装置との間を無線化するために、該データ通信装置に有線接続あるいは内蔵される無線親局および上記画像形成装置に有線接続あるいは内蔵される無線子局とからなる無線通信装置における親局情報登録方法において、次のようにしたことを特徴とする。
【００５０】
すなわち、上記無線子局が、上記無線親局の識別情報の送信を要求する親局情報送信要求モードが設定された場合に、上記無線親局の識別情報の送信要求を示す親局情報送信要求信号を該無線親局へ無線送信し、上記無線親局が、自局の識別情報を送信する親局情報送信モードの設定中に、上記無線子局から上記親局情報送信要求信号を受信した場合に、自局の識別情報を上記無線子局へ無線送信し、上記無線子局が、上記無線親局の識別情報を受信した後、自局と上記無線親局との接続の有無を確認するための報知要求が指示された場合に、その報知要求を示す接続報知要求信号を上記無線親局へ無線送信し、その後上記無線親局の識別情報の登録が指示された場合に、先に受信した上記無線親局の識別情報を登録し、上記無線親局が、上記無線子局から上記接続報知要求信号を受信した場合に、自局と上記無線子局とが接続されている旨を報知するものである。
【００５１】
請求項３１の発明による親局情報登録方法は、中央制御装置に公衆回線等の通信回線を介して接続されるデータ通信装置と複写装置等の画像形成装置との間を無線化するために、該データ通信装置に有線接続あるいは内蔵される無線親局および上記画像形成装置に有線接続あるいは内蔵される無線子局とからなる無線通信装置における親局情報登録方法において、次のようにしたものである。
【００５２】
すなわち、上記無線子局が、上記無線親局の識別情報の送信を要求する親局情報送信要求モードが設定された場合に、上記無線親局の識別情報の送信要求を示す親局情報送信要求信号を該無線親局へ無線送信し、上記無線親局が、自局の識別情報を送信する親局情報送信モードの設定中に、上記無線子局から上記親局情報送信要求信号を受信した場合に、自局の識別情報を上記無線子局へ無線送信し、上記無線子局が、上記無線親局の識別情報を受信した場合に、自局と上記無線親局との接続の有無を確認するための報知要求を示す接続報知要求信号を上記無線親局へ無線送信し、その後上記無線親局の識別情報の登録が指示された場合に、先に受信した上記無線親局の識別情報を登録し、上記無線親局が、上記無線子局から上記接続報知要求信号を受信した場合に、自局と上記無線子局とが接続されている旨を報知するものである。
【００５３】
請求項３２の発明による親局情報登録方法は、請求項２９〜３１のいずれかの親局情報登録方法において、上記無線子局が、上記親局情報送信要求手段によって上記無線親局へ上記親局情報送信要求信号を無線送信した後、予め設定された所定時間内に上記無線親局の識別情報を受信した場合には、その受信が成功したと判断してその旨を報知し、上記所定時間内に上記無線親局の識別情報を受信できなかった場合には、その受信が失敗したと判断してその旨を報知するものである。
【００５４】
請求項３３の発明による親局情報登録方法は、中央制御装置に公衆回線等の通信回線を介して接続されるデータ通信装置と複写装置等の画像形成装置との間を無線化するために、該データ通信装置に有線接続あるいは内蔵される無線親局および上記画像形成装置に有線接続あるいは内蔵される無線子局とからなる無線通信装置における親局情報登録方法において、次のようにしたものである。
【００５５】
すなわち、上記無線親局が、自局の識別情報を送信する親局情報送信モードの設定中は、自局の識別情報を上記無線子局へ繰り返し無線送信し、上記無線子局が、上記無線親局の識別情報を受信する親局情報受信モードの設定中に、上記無線子局の識別情報を受信した場合に、その受信した上記無線親局の識別情報を登録するものである。
【００５６】
請求項３４の発明による親局情報登録方法は、中央制御装置に公衆回線等の通信回線を介して接続されるデータ通信装置と複写装置等の画像形成装置との間を無線化するために、該データ通信装置に有線接続あるいは内蔵される無線親局および上記画像形成装置に有線接続あるいは内蔵される無線子局とからなる無線通信装置における親局情報登録方法において、次のようにしたものである。
【００５７】
すなわち、上記無線親局が、自局の識別情報を送信する親局情報送信モードの設定中は、自局の識別情報を上記無線子局へ繰り返し無線送信し、上記無線子局が、上記無線親局の識別情報を受信する親局情報受信モードの設定中に、上記無線子局の識別情報を受信した後、自局と上記無線親局との接続の有無を確認するための報知要求が指示された場合に、その報知要求を示す接続報知要求信号を上記無線親局へ無線送信し、その後上記無線親局の識別情報の登録が指示された場合に、先に受信した上記無線親局の識別情報を登録し、上記無線親局が、上記無線子局から上記接続報知要求信号を受信した場合に、自局と上記無線子局とが接続されている旨を報知するものである。
【００５８】
請求項３５の発明による親局情報登録方法は、中央制御装置に公衆回線等の通信回線を介して接続されるデータ通信装置と複写装置等の画像形成装置との間を無線化するために、該データ通信装置に有線接続あるいは内蔵される無線親局および上記画像形成装置に有線接続あるいは内蔵される無線子局とからなる無線通信装置における親局情報登録方法において、次のようにしたものである。
【００５９】
すなわち、上記無線親局が、自局の識別情報を送信する親局情報送信モードの設定中は、自局の識別情報を上記無線子局へ繰り返し無線送信し、上記無線子局が、上記無線親局の識別情報を受信する親局情報受信モードの設定中に、上記無線子局の識別情報を受信した場合に、自局と上記無線親局との接続の有無を確認するための報知要求を示す接続報知要求信号を上記無線親局へ無線送信し、その後上記無線親局の識別情報の登録が指示された場合に、先に受信した上記無線親局の識別情報を登録し、上記無線親局が、上記無線子局から上記接続報知要求信号を受信した場合に、自局と上記無線子局とが接続されている旨を報知するものである。
【００６０】
請求項３６の発明による親局情報登録方法は、請求項３３〜３５のいずれかの親局情報登録方法において、上記無線子局が、上記親局情報受信モードを設定した後、予め設定された所定時間内に上記無線親局の識別情報を受信した場合には、その受信が成功したと判断してその旨を報知し、上記所定時間内に上記無線親局の識別情報を受信できなかった場合には、その受信が失敗したと判断してその旨を報知するものである。
【００６１】
請求項３７の発明による画像形成装置管理システムは、複写装置等の画像形成装置と、該画像形成装置を管理する中央制御装置と、該中央制御装置に公衆回線等の通信回線を介して接続され、該中央制御装置と上記画像形成装置との通信を制御するデータ通信装置と、該データ通信装置と上記画像形成装置との間を無線化するために、該データ通信装置に有線接続あるいは内蔵される無線親局および上記画像形成装置に有線接続あるいは内蔵される無線子局とからなる無線通信装置とを備えた画像形成装置管理システムにおいて、次のようにしたものである。
【００６２】
すなわち、上記無線通信装置の無線子局に、上記無線親局の識別情報の送信を要求する親局情報送信要求モードを設定する親局情報送信要求モード設定手段と、該手段によるモード設定がなされた場合に、上記無線親局の識別情報の送信要求を示す親局情報送信要求信号を該無線親局へ無線送信する親局情報送信要求手段と、上記親局情報送信要求手段による上記無線親局への無線送信に対する応答情報として、該無線親局の識別情報を受信した場合に、その受信した上記無線親局の識別情報を登録する親局情報登録手段とを設け、上記無線通信装置の無線親局に、当該無線親局の識別情報を送信する親局情報送信モードを設定する親局情報送信モード設定手段と、該手段によるモード設定中に上記無線子局から上記親局情報送信要求信号を受信した場合に、当該無線親局の識別情報を上記無線子局へ無線送信する手段とを設けたものである。
【００６３】
請求項３８の発明による画像形成装置管理システムは、請求項３７の画像形成装置管理システムにおいて、上記無線通信装置の無線子局に、上記無線親局の識別情報の登録を指示する親局情報登録指示手段と、当該無線子局と上記無線親局との接続の有無を確認するための報知要求を指示する接続報知要求指示手段と、該手段による指示があった場合に、当該無線子局と上記無線親局との接続の有無を確認するための報知要求を示す接続報知要求信号を該無線親局へ無線送信する接続報知要求手段とを設け、上記無線通信装置の無線子局の親局情報登録手段を、上記親局情報送信要求手段による上記無線親局への無線送信に対する応答情報として、該無線親局の識別情報を受信した後、上記親局情報登録指示手段による指示があった場合に、その受信した上記無線親局の識別情報を登録する手段とし、上記無線通信装置の無線親局に、上記無線子局から上記接続報知要求信号を受信した場合に、当該無線親局と上記無線子局とが接続されている旨を報知する接続報知手段を設けたものである。
【００６４】
請求項３９の発明による画像形成装置管理システムは、請求項３７の画像形成装置管理システムにおいて、上記無線通信装置の無線子局に、上記無線親局の識別情報の登録を指示する親局情報登録指示手段と、上記親局情報送信要求手段による上記無線親局への無線送信に対する応答情報として、該無線親局の識別情報を受信した場合に、当該無線子局と上記無線親局との接続の有無を確認するための報知要求を示す接続報知要求信号を該無線親局へ無線送信する接続報知要求手段とを設け、上記無線通信装置の無線子局の親局情報登録手段を、上記親局情報送信要求手段による上記無線親局への無線送信に対する応答情報として、該無線親局の識別情報を受信した後、上記親局情報登録指示手段による指示があった場合に、その受信した上記無線親局の識別情報を登録する手段とし、上記無線通信装置の無線親局に、上記無線子局から上記接続報知要求信号を受信した場合に、当該無線親局と上記無線子局とが接続されている旨を報知する接続報知手段を設けたものである。
【００６５】
請求項４０の発明による画像形成装置管理システムは、請求項３７〜３９のいずれかの画像形成装置管理システムにおいて、上記無線通信装置の無線子局に、上記親局情報送信要求手段によって上記無線親局へ上記親局情報送信要求信号を無線送信した後、予め設定された所定時間内に上記無線親局の識別情報を受信した場合に、その受信が成功したと判断し、その旨を報知する親局情報受信成功報知手段と、上記所定時間内に上記無線親局の識別情報を受信できなかった場合に、その受信が失敗したと判断し、その旨を報知する親局情報受信失敗手段とを設けたものである。
【００６６】
請求項４１の発明による画像形成装置管理システムは、複写装置等の画像形成装置と、該画像形成装置を管理する中央制御装置と、該中央制御装置に公衆回線等の通信回線を介して接続され、該中央制御装置と上記画像形成装置との通信を制御するデータ通信装置と、該データ通信装置と上記画像形成装置との間を無線化するために、該データ通信装置に有線接続あるいは内蔵される無線親局および上記画像形成装置に有線接続あるいは内蔵される無線子局とからなる無線通信装置とを備えた画像形成装置管理システムにおいて、次のようにしたものである。
【００６７】
すなわち、上記無線通信装置の無線子局に、上記無線親局の識別情報を受信する親局情報受信モードを設定する親局情報受信モード設定手段と、上記無線親局の識別情報の登録を指示する親局情報登録指示手段と、上記親局情報受信モード設定手段によるモード設定中に上記無線親局の識別情報を受信した場合に、その受信した上記無線親局の識別情報を登録する親局情報登録手段とを設け、上記無線通信装置の無線親局に、当該無線親局の識別情報を送信する親局情報送信モードを設定する親局情報送信モード設定手段と、該手段によるモード設定中は当該無線親局の識別情報を上記無線子局へ繰り返し無線送信する手段とを設けたものである。
【００６８】
請求項４２の発明による画像形成装置管理システムは、請求項４１の画像形成装置管理システムにおいて、上記無線通信装置の無線子局に、上記無線親局の識別情報の登録を指示する親局情報登録指示手段と、当該無線子局と上記無線親局との接続の有無を確認するための報知要求を指示する接続報知要求指示手段と、該手段による指示があった場合に、当該無線子局と上記無線親局との接続の有無を確認するための報知要求を示す接続報知要求信号を該無線親局へ無線送信する接続報知要求手段とを設け、上記無線通信装置の無線子局の親局情報登録手段を、上記親局情報受信モード設定手段によるモード設定中に上記無線親局の識別情報を受信した後、上記親局情報登録指示手段による指示があった場合に、その受信した上記無線親局の識別情報を登録する手段とし、上記無線通信装置の無線親局に、上記無線子局から上記接続報知要求信号を受信した場合に、当該無線親局と上記無線子局とが接続されている旨を報知する接続報知手段を設けたものである。
【００６９】
請求項４３の発明による画像形成装置管理システムは、請求項４１の画像形成装置管理システムにおいて、上記無線通信装置の無線子局に、上記無線親局の識別情報の登録を指示する親局情報登録指示手段と、上記親局情報受信モード設定手段によるモード設定中に上記無線親局の識別情報を受信した場合に、当該無線子局と上記無線親局との接続の有無を確認するための報知要求を示す接続報知要求信号を該無線親局へ無線送信する接続報知要求手段とを設け、上記無線通信装置の無線子局の親局情報登録手段を、上記親局情報受信モード設定手段によるモード設定中に上記無線親局の識別情報を受信した後、上記親局情報登録指示手段による指示があった場合に、その受信した上記無線親局の識別情報を登録する手段とし、上記無線通信装置の無線親局に、上記無線子局から上記接続報知要求信号を受信した場合に、当該無線親局と上記無線子局とが接続されている旨を報知する接続報知手段を設けたものである。
【００７０】
請求項４４の発明による画像形成装置管理システムは、請求項４１〜４３のいずれかの画像形成装置管理システムにおいて、上記無線通信装置の無線子局に、上記親局情報受信モード設定手段によるモード設定後、予め設定された所定時間内に上記無線親局の識別情報を受信した場合に、その受信が成功したと判断し、その旨を報知する親局情報受信成功報知手段と、上記所定時間内に上記無線親局の識別情報を受信できなかった場合に、その受信が失敗したと判断し、その旨を報知する親局情報受信失敗報知手段とを設けたものである。
【００７１】
【発明の実施の形態】
以下、この発明の実施形態を図面に基づいて具体的に説明する。
図１および図２はこの発明を実施する画像形成装置管理システムの異なる構成例を示すブロック図であり、同じ部分には同一符号を付している。
【００７２】
図１に示す画像形成装置管理システムは、遠隔診断を前提とした１台の画像形成装置（複写装置等）１と、画像形成装置１を管理する中央制御装置６と、中央制御装置６に公衆回線（専用回線等の他の通信回線でもよい）８を介して接続され、中央制御装置６と画像形成装置１との通信を制御するデータ通信装置７と、データ通信装置７と画像形成装置１との間を無線化するために、データ通信装置７に有線接続される（内蔵されてもよい）無線親局１００および画像形成装置１に有線接続（内蔵されてもよい）される無線子局１０１とからなる無線通信装置とを備えている。
【００７３】
データ通信装置７は、中央制御装置６から公衆回線８を経由して送られてくる指令信号を画像形成装置１へ送信したり、逆に画像形成装置１から送られてくる各種通報情報を公衆回線８を経由して中央制御装置６へ送信する。
このデータ通信装置７は、２４時間通電を行なっていて、通常、画像形成装置１の電源がオフになっている夜間でも、中央制御装置６との通信を可能にしている。
【００７４】
１台のデータ通信装置７は、図２に示すように複数台の画像形成装置１〜５について通信制御を行なうことができる。
データ通信装置７と画像形成装置１（又は複数台の画像形成装置１〜５）との通信は、無線通信装置の無線親局１００と無線子局１０１（又は複数の無線子局１０１〜１０５）を介して行なわれる。
【００７５】
データ通信装置７は、画像形成装置１を制御したり、公衆回線８を経由して中央制御装置６に対する指令信号の送受信を制御したり、画像形成装置１からの各種通報情報により、公衆回線８経由で中央制御装置６に対して発呼を行なったり、公衆回線８を画像形成装置１側に接続するか、図示しない一般電話機（ＴＥＬ）又はファクシミリ装置（ＦＡＸ）側に接続するかの切り替え制御を行なったりする。
【００７６】
図５は、図１，図２の無線親局１００の構成例を示すブロック図である。
無線親局１００は、アンテナ１１１，無線送信部１１２，無線受信部１１３，制御部１１４，ＲＳ４８５ドライバ１１５，不揮発性メモリ１１６，スイッチ部１１７，およびＬＥＤ表示部１１８等からなる。
【００７７】
無線送信部１１２は、制御部１１４より入力される送信データを無線信号に変換してアンテナ１１１へ出力する。つまり、所定の周波数の信号を制御部１１４より入力される送信データにより変調し、無線信号としてアンテナ１１１へ出力する。
【００７８】
無線受信部１１３は、アンテナ１１１より入力される無線信号を受信データ（所定の制御データ）に変換して制御部１１４へ出力する。つまり、アンテナ１１１より入力される無線信号の所定の周波数帯について復調し、受信データとして制御部１１４へ出力する。また、所定の周波数の強度を制御部１１４へ提供する。
【００７９】
制御部１１４は、ＣＰＵ，ＲＯＭ，ＲＡＭ等によって構成されており、無線送信部１１２，無線受信部１１３，ＲＳ４８５ドライバ１１５，不揮発性メモリ１１６，およびＬＥＤ表示部１１８の制御を行なう。
ＲＳ４８５ドライバ１１５は、データ通信装置７とのシリアル通信インタフェースＲＳ−４８５の制御を行なう。
【００８０】
不揮発性メモリ１１６は、無線通信装置の呼出名称，メーカコードなど、無線通信に必要な情報を記憶する。
ここで、呼出名称は、個々の無線局に固有に与えられる数字によるコードであり、製造時に書き込まれる。この例では、そのコードを無線親局１００の識別情報である親局ＩＤとして使用する。
【００８１】
メーカコードは、製造メーカ等を識別するためのコードであり、製造時などに書き込まれる。
スイッチ部１１７は、これを有する無線親局の動作モードの設定などを行なう際に使用するスイッチにより構成される。
【００８２】
ＬＥＤ表示部１１８は、無線親局１００の動作モードや、図１の無線子局１０１（又は図２の無線子局１０１〜１０５）からの接続確認用信号の受信状態等の各種情報を対応するＬＥＤの点灯，点滅等の表示によって報知する。
【００８３】
図７は図１，図２の無線親局１００の他の構成例を示すブロック図であり、図５と対応する部分には同一符号を付してそれらの説明を省略する。
文字表示部１１９は、無線親局１００の動作モードや、図１の無線子局１０１（又は図２の無線子局１０１〜１０５）からの接続確認用信号の受信状態等の各種情報を文字表示によって報知する。
なお、ＬＥＤ表示部や文字表示部以外の表示手段を用いて各種情報を報知することもできる。
【００８４】
図９は図１，図２の無線親局１００の更に他の構成例を示すブロック図であり、図５，図７と対応する部分には同一符号を付してそれらの説明を省略する。
スピーカ１２０は、無線親局１００の動作モードや、図１の無線子局１０１（又は図２の無線子局１０１〜１０５）からの接続確認用信号の受信状態等の各種情報を音声出力によって報知する。
なお、スピーカ以外の音出力手段（例えばブザー）によって各種情報を報知することもできる。
【００８５】
図６は、図１，図２の無線子局１０１〜１０５の構成例を示すブロック図である。
無線子局１０１〜１０５はそれぞれ、無線親局１００と同様に、アンテナ１２１，無線送信部１２２，無線受信部１２３，制御部１２４，ＲＳ４８５ドライバ１２５，不揮発性メモリ１２６，スイッチ部１２７，およびＬＥＤ表示部１２８等からなる。
【００８６】
無線送信部１２２は、制御部１２４より入力される送信データを無線信号に変換してアンテナ１２１へ出力する。つまり、所定の周波数の信号を制御部１２４より入力される送信データにより変調し、無線信号としてアンテナ１２１へ出力する。
【００８７】
無線受信部１２３は、アンテナ１２１より入力される無線信号を受信データ（所定の制御データ）に変換して制御部１２４へ出力する。つまり、アンテナ１２１より入力される無線信号の所定の周波数帯について復調し、受信データとして制御部１２４へ出力する。また、所定の周波数の強度を制御部１２４へ提供する。
【００８８】
制御部１２４は、ＣＰＵ，ＲＯＭ，ＲＡＭ等によって構成されており、無線送信部１２２，無線受信部１２３，ＲＳ４８５ドライバ１２５，不揮発性メモリ１２６，およびＬＥＤ表示部１２８の制御を行なう。
ＲＳ４８５ドライバ１２５は、画像形成装置１（又は画像形成装置１〜５）とのシリアル通信インタフェースＲＳ−４８５の制御を行なう。
【００８９】
不揮発性メモリ１２６は、無線通信装置の呼出名称，メーカコード，親局ＩＤなど、無線通信に必要な情報を記憶する。
ここで、呼出名称は、個々の無線局に固有に与えられる数字によるコードであり、製造時に書き込まれる。この例では、そのコードを無線子局の識別情報である子局ＩＤとして使用する。
【００９０】
メーカコードは、製造メーカ等を識別するためのコードであり、製造時などに書き込まれる。
親局ＩＤは、通信すべき相手（通信相手先）となる無線親局１００の呼出名称（親局ＩＤ）であり、後述する処理（手段）によって取得する。
【００９１】
スイッチ部１２７は、これを有する無線子局の動作モードの設定や、ＩＤ送信要求信号（親局情報送信要求信号）の送信や、接続確認用信号（接続報知要求信号）の送信などを行なう際に使用するスイッチにより構成される。
ＬＥＤ表示部１２８は、それを有する無線子局の動作モードや、無線親局１００からの受信結果等の各種情報を対応するＬＥＤの点灯，点滅等の表示によって報知する。
【００９２】
図８は図１，図２の無線子局１０１〜１０５の他の構成例を示すブロック図であり、図６と対応する部分には同一符号を付してそれらの説明を省略する。
文字表示部１２９は、それを有する無線子局の動作モードや、無線親局１００からの受信結果等の各種情報を文字表示によって報知する。
なお、ＬＥＤ表示部や文字表示部以外の表示手段を用いて各種情報を報知することもできる。
【００９３】
図１０は図１，図２の無線子局１０１〜１０５の更に他の構成例を示すブロック図であり、図６，図８と対応する部分には同一符号を付してそれらの説明を省略する。
スピーカ１３０は、それを有する無線子局の動作モードや、無線親局１００からの受信結果等の各種情報を音声出力によって報知する。
なお、スピーカ以外の音出力手段（例えばブザー）によって各種情報を報知することもできる。
【００９４】
ところで、無線親局１００の機能をデータ通信装置７に内蔵することもできる。この場合、データ通信装置７内の図示しないＣＰＵ，ＲＯＭ等からなる制御部が無線親局１００の制御部１１４の機能を、データ通信装置７の表示部が無線親局１００のＬＥＤ表示部１１８の機能を、データ通信装置７の不揮発性メモリが無線親局１００の不揮発性メモリ１１６の機能を果すようにすればよい。
【００９５】
また、無線子局１０１〜１０５の機能をそれぞれ画像形成装置１〜５に内蔵することもできる。この場合、画像形成装置１〜５の制御部がそれぞれ無線子局１０１〜１０５の制御部１２４の機能を、画像形成装置１〜５の操作表示部がそれぞれ無線子局１０１〜１０５のＬＥＤ表示部１２８の機能を、画像形成装置１〜５の不揮発性メモリがそれぞれ無線子局１０１〜１０５の不揮発性メモリ１２６の機能を果すようにすればよい。
【００９６】
以下、図１に示した画像形成装置管理システムに使用される無線通信装置を構成する無線親局１００および無線子局１０１〜１０５によるこの発明に係わる処理について、図１３以降のフローチャートも参照して具体的に説明する。
【００９７】
ここで、この画像形成装置管理システムでは、無線親局１００および無線子局１０１〜１０５がそれぞれ、この発明による各種の機能（手段，方法）に対応するプログラムを制御部１１４，１２４内のＲＯＭに予め記憶しておき、制御部１１４，１２４内のＣＰＵがそのプログラムに従って動作することにより、上記各種の機能を実現することができる。
【００９８】
図１３〜図３４は、この発明による通信制御のそれぞれ異なる実施形態（各請求項に対応する）を示すフローチャートである。
ユーザは、自分のオフィス等に設置した画像形成装置（以下の各実施形態では画像形成装置１とする）に有線接続（又は内蔵）される無線子局（以下の各実施形態では無線子局１０１とする）をデータ通信装置７に有線接続（又は内蔵）される無線親局１００と通信可能にするため、無線子局１０１に通信対象とする無線親局１００の識別情報である親局ＩＤが登録されるように、その各無線局に対して各種操作を行なう。
【００９９】
それによって、無線親局１００および無線子局１０１はそれぞれこの発明に係わる処理を行なうが、その各実施形態を以下に示す。
〔第１実施形態：図１１，図１２〕
図１１は無線親局１００によるこの発明に係わる処理の第１例を示すフローチャート、図１２は無線子局１０１〜１０５によるこの発明に係わる処理の第１例を示すフローチャートである。
【０１００】
まず、一方の無線子局１０１の制御部１２４は、スイッチ部１２７上で無線親局１００の識別情報である親局ＩＤの送信を要求するＩＤ送信要求モード（親局情報送信要求モード）を設定するための操作が行なわれると、スイッチ部１２７からＩＤ送信要求モードの設定が指示される（対応する操作信号が入力される）ため、ＩＤ送信要求モードを設定して図１２に示す処理を開始する。
【０１０１】
そして、スイッチ部１２７上で親局ＩＤの送信要求を実行するための操作が行なわれると、スイッチ部１２７から親局ＩＤの送信要求が指示される（対応する操作信号が入力される）ため、親局ＩＤの送信要求を示すＩＤ送信要求信号（親局情報送信要求信号）を無線送信部１２２によって無線親局１００へ無線送信する。
【０１０２】
ここで、無線親局１００との間で通信を行なうためには、無線親局１００との間に無線通信回線を形成する必要がある。そこで、この例では、最初の通信が、ＩＤ送信要求信号を無線親局１００に送信することなので、そのＩＤ送信要求信号を送信する際に、無線親局１００との間に無線通信回線を形成する。そのための処理は、この発明には直接関係しないので、ここではその説明を省略する。
【０１０３】
他方の無線親局１００の制御部１１４は、スイッチ部１１７上で自局の識別情報である親局ＩＤを送信するＩＤ送信モード（親局情報送信モード）を設定するための操作が行なわれると、スイッチ部１１７からＩＤ送信モードの設定が指示されるため、ＩＤ送信モードを設定して図１１に示す処理を開始し、そのＩＤ送信モードの設定中に無線子局１０１から無線受信部１１３によってＩＤ送信要求信号を受信すると、親局ＩＤを無線送信部１１２によって無線子局１０１へ無線送信する。
【０１０４】
無線子局１０１の制御部１２４は、無線親局１００へのＩＤ送信要求信号の無線送信に対する応答情報として、無線親局１００から無線受信部１２３によって親局ＩＤを受信すると、それを不揮発性メモリ１２６に記憶して登録した後、無線親局１００との無線通信回線を切断する処理を行ない、ＩＤ送信要求モードの設定を解除する。
【０１０５】
無線親局１００の制御部１１４は、スイッチ部１１７上でＩＤ送信モードの設定を解除（終了）するための操作が行なわれるか、再び無線子局１０１からＩＤ送信要求信号を受信するまで待機し、スイッチ部１１７上でＩＤ送信モードの設定を解除するための操作が行なわれると、スイッチ部１１７からＩＤ送信モードの設定解除が指示されるため、ＩＤ送信モードを解除する。
【０１０６】
無線子局１０１の制御部１２４は、無線親局１００へＩＤ送信要求信号を無線送信した後、予め設定された所定時間を経過しても無線親局１００から親局ＩＤを受信できなかった（タイムオーバした）場合には、スイッチ部１２７上でＩＤ送信要求モードの設定を解除するための操作が行なわれるか、再びスイッチ部１２７上で親局ＩＤの送信要求を実行するための操作が行なわれるまで待機する。
【０１０７】
このように、第１実施形態によれば、無線子局１０１が、無線親局１００の識別情報である親局ＩＤの送信を要求するＩＤ送信要求モードの設定がなされた場合に、親局ＩＤの送信要求を示すＩＤ送信要求信号を無線親局１００へ無線送信し、無線親局１００が、自局の識別情報である親局ＩＤを送信するＩＤ送信モードの設定中に、無線子局１０１からＩＤ送信要求信号を受信した場合、親局ＩＤを無線子局１０１へ無線送信し、無線子局１０１が、その親局ＩＤを受信して登録するので、特別なツールを用いなくても、無線子局１０１に通信対象とする無線親局１００の親局ＩＤを登録することができる。
【０１０８】
また、画像形成装置管理システムが図２に示したような構成の場合、無線親局１００が、ＩＤ送信モードの設定中は、複数台の無線子局１０１〜１０５からＩＤ送信要求信号を順次連続的に受信し、親局ＩＤをその各無線子局１０１〜１０５に順次連続的に無線送信して登録させることもできる。
【０１０９】
さらに、例えば図３に示すように、画像形成装置２が追加されることによって無線子局１０２が追加されるような場合でも、無線親局１００に上述と同様の処理を行なわせ、追加された無線子局１０２に無線子局１０１と同様な処理を行なわせるようにすれば、やはり特別なツールを用いなくても、無線子局１０２に通信対象とする無線親局１００の親局ＩＤを登録することができる。
【０１１０】
さらにまた、例えば図４に示すように、２グループの無線システム（画像形成装置，データ通信装置，およびそれらを無線化するための無線通信装置からなるもの）を隣接した地域に同時に設置する場合でも、無線親局１００に上述と同様の処理を行なわせ、無線子局１０１に上述と同様な処理を行なわせた後、無線親局１００′に無線親局１００と同様の処理を行なわせ、無線子局１０２に無線子局１０１と同様の処理を行なわせるようにすれば、やはり特別なツールを用いなくても、無線子局１０１に通信対象とする無線親局１００の親局ＩＤを、無線子局１０２に通信対象とする無線親局１００′の親局ＩＤをそれぞれ登録することができる。
【０１１１】
〔第２実施形態：図１３，図１４〕
図１３は無線親局１００によるこの発明に係わる処理の第２例を示すフローチャート、図１４は無線子局１０１〜１０５によるこの発明に係わる処理の第２例を示すフローチャートである。
【０１１２】
まず、一方の無線子局１０１の制御部１２４は、スイッチ部１２７上で無線親局１００の識別情報である親局ＩＤの送信を要求するＩＤ送信要求モードを設定するための操作が行なわれると、スイッチ部１２７からＩＤ送信要求モードの設定が指示されるため、ＩＤ送信要求モードを設定して図１４に示す処理を開始する。
【０１１３】
そして、スイッチ部１２７上で親局ＩＤの送信要求を実行するための操作が行なわれると、スイッチ部１２７から親局ＩＤの送信要求が指示されるため、親局ＩＤの送信要求を示すＩＤ送信要求信号を無線送信部１２２によって無線親局１００へ無線送信する。
【０１１４】
他方の無線親局１００の制御部１１４は、スイッチ部１１７上で自局の識別情報である親局ＩＤを送信するＩＤ送信モードを設定するための操作が行なわれると、スイッチ部１１７からＩＤ送信モードの設定が指示されるため、ＩＤ送信モードを設定して図１３に示す処理を開始し、そのＩＤ送信モードの設定中に無線子局１０１から無線受信部１１３によってＩＤ送信要求信号を受信すると、親局ＩＤを無線送信部１１２によって無線子局１０１へ無線送信する。
【０１１５】
無線子局１０１の制御部１２４は、無線親局１００へのＩＤ送信要求信号の無線送信に対する応答情報として、無線親局１００から無線受信部１２３によって親局ＩＤを受信すると、それをいったん制御部１２４内のＲＡＭに退避させ、ユーザによる次の操作を待つ。
【０１１６】
ここで、スイッチ部１２７上の接続確認用スイッチが押下されると、スイッチ部１２７から無線子局１０１と無線親局１００との接続の有無を確認するための報知要求が指示されるため、そのスイッチが押下されている（その報知要求が指示されている）間だけ、その報知要求を示す接続確認用信号（接続報知要求信号）を無線送信部１２２によって無線親局１００へ無線送信する。つまり、接続確認用スイッチの押下／解放に同期して接続確認用信号（接続報知要求信号）を無線親局１００へ無線送信したり、その送信を停止したりする。
【０１１７】
無線親局１００の制御部１１４は、無線子局１０１から無線受信部１１３によって接続確認用信号を受信している間は、自局と無線子局１０１とが接続されている旨を報知し、接続確認用信号を受信できなくなった時点でその報知を解除する。
【０１１８】
ここで、無線親局１００による自局と無線子局１０１とが接続されている旨の報知の具体例を以下の（１）〜（３）に示す。
（１）自局が図５に示したようにＬＥＤ表示部１１８を設けている場合は、無線子局１０１から無線受信部１１３によって接続確認用信号を受信している間、自局と無線子局１０１とが接続されている旨をＬＥＤ表示部１１８上の対応するＬＥＤの点灯又は点滅等の表示によって報知する。
【０１１９】
（２）自局が図７に示したように文字表示部１１９を設けている場合は、無線子局１０１から無線受信部１１３によって接続確認用信号を受信している間、自局と無線子局１０１とが接続されている旨を文字表示部１１９への文字表示によって報知する。
【０１２０】
（３）自局が図９に示したようにスピーカ１２０を設けている場合は、無線子局１０１から無線受信部１１３によって接続確認用信号を受信している間、自局と無線子局１０１とが接続されている旨をスピーカ１２０の音声出力によって報知する。
【０１２１】
なお、自局がＬＥＤ表示部１１８又は文字表示部１１９以外の表示手段あるいはスピーカ１２０以外の音出力手段（ブザー等）を設けている場合は、無線子局１０１から無線受信部１１３によって接続確認用信号を受信している間、その表示手段あるいは音出力手段を使用して自局と無線子局１０１とが接続されている旨を報知することもできる。
【０１２２】
したがって、無線子局１０１が無線親局１００に接続されている場合（無線親局１００との間で無線通信回線が形成されている場合）は、無線子局１０１の接続確認用スイッチのオン／オフに同期して無線親局１００側でそれと無線子局１０１とが接続されている旨が報知されたり（例えば接続確認用スイッチが押下されていれば対応するＬＥＤが点灯する）、その報知が解除されたりする（例えば接続確認用スイッチが解放されていれば対応するＬＥＤが消灯する）。
【０１２３】
よって、ユーザは、無線子局１０１が目的の無線親局１００との接続の有無、つまり目的とする無線親局１００の親局ＩＤの受信の有無を目視等によって確認することができる。
そして、目的とする無線親局１００の親局ＩＤを受信したことを目視等で確認できた後は、無線子局１０１のスイッチ部１２７上で親局ＩＤを登録するための操作を行なう（親局ＩＤの登録を指示する）。
【０１２４】
もし、何らかの理由で、無線子局１０１で受信された親局ＩＤの登録を中止するような場合は、ＩＤ送信要求モードの設定を解除（終了）するための操作を行なう（ＩＤ送信要求モードの設定解除を指示する）。
【０１２５】
無線子局１０１の制御部１２４は、スイッチ部１２７上で親局ＩＤを登録するための操作が行なわれると、スイッチ部１２７から親局ＩＤの登録が指示されるため、先に受信して制御部１２４内のＲＡＭにいったん退避させておいた親局ＩＤを不揮発性メモリ１２６に記憶して登録した後、無線親局１００との無線通信回線を切断する処理を行ない、ＩＤ送信要求モードの設定を解除する。
【０１２６】
なお、接続確認用信号を無線親局１００へ無線送信した場合にのみ、親局ＩＤの登録を可能にすることもできる。
スイッチ部１２７上でＩＤ送信要求モードの設定を解除するための操作が行なわれると、スイッチ部１２７からＩＤ送信要求モードの設定解除が指示されるため、そのまま無線親局１００との無線通信回線を切断する処理を行ない、ＩＤ送信要求モードの設定を解除する。
【０１２７】
無線親局１００の制御部１１４は、無線子局１０１からの無線キャリアが消失することにより、これまで接続していた無線子局１０１との通信を終了し、スイッチ部１１７上でＩＤ送信モードの設定を解除（終了）するための操作が行なわれるか、再び無線子局１０１からＩＤ送信要求信号を受信するまで待機し、ＩＤ送信モードの設定を解除するための操作が行なわれた時にＩＤ送信モードを解除する。
【０１２８】
無線子局１０１の制御部１２４は、無線親局１００へＩＤ送信要求信号を無線送信した後、予め設定された所定時間を経過しても無線親局１００から親局ＩＤを受信できなかった場合には、スイッチ部１２７上でＩＤ送信要求モードの設定を解除するための操作が行なわれるか、再びスイッチ部１２７上で親局ＩＤの送信要求を実行するための操作が行なわれるまで待機する。
【０１２９】
このように、第２実施形態によれば、無線子局１０１が、無線親局１００の識別情報である親局ＩＤの送信を要求するＩＤ送信要求モードの設定がなされたとき、親局ＩＤの送信要求を示すＩＤ送信要求信号を無線親局１００へ無線送信し、無線親局１００が、自局の識別情報である親局ＩＤを送信するＩＤ送信モードの設定中に、無線子局１０１からＩＤ送信要求信号を受信したとき、親局ＩＤを無線子局１０１へ無線送信し、無線子局１０１が、その親局ＩＤを受信した後、自局と無線親局１００との接続の有無を確認するための報知要求の指示があったとき、その報知要求を示す接続確認用信号を無線親局１００へ無線送信し、その接続確認用信号を受信した無線親局１００が、自局と無線子局１０１とが接続されている旨をＬＥＤ又は文字表示部等の表示手段あるいはスピーカ又はブザー等の音出力手段を用いて報知し、無線子局１０１が、無線親局１００への接続確認用信号の無線送信後（ユーザによって無線親局１００と無線子局１０１とが接続されている旨を確認した後）、親局ＩＤの登録指示があったとき、先に受信した親局ＩＤを登録するので、特別なツールを用いなくても、無線子局１０１に通信対象とする無線親局１００の親局ＩＤを確実に登録することができる。
【０１３０】
また、画像形成装置管理システムが図２に示したような構成の場合、無線親局１００が、ＩＤ送信モードの設定中は、複数台の無線子局１０１〜１０５からＩＤ送信要求信号を順次連続的に受信し、親局ＩＤをその各無線子局１０１〜１０５に順次連続的に無線送信して確実に登録させることもできる。
【０１３１】
さらに、例えば図３に示すように、画像形成装置２が追加されることによって無線子局１０２が追加されるような場合でも、無線親局１００に上述と同様の処理を行なわせ、追加された無線子局１０２に無線子局１０１と同様な処理を行なわせるようにすれば、やはり特別なツールを用いなくても、無線子局１０２に通信対象とする無線親局１００の親局ＩＤを確実に登録することができる。
【０１３２】
さらにまた、例えば図４に示すように、２グループの無線システムを隣接した地域に同時に設置する場合でも、無線親局１００に上述と同様の処理を行なわせ、無線子局１０１に上述と同様な処理を行なわせた後、無線親局１００′に無線親局１００と同様の処理を行なわせ、無線子局１０２に無線子局１０１と同様の処理を行なわせるようにすれば、やはり特別なツールを用いなくても、無線子局１０１に通信対象とする無線親局１００の親局ＩＤを、無線子局１０２に通信対象とする無線親局１００′の親局ＩＤをそれぞれ確実に登録することができる。
【０１３３】
〔第３実施形態：図１３，図１５〕
図１５は、無線子局１０１〜１０５によるこの発明に係わる処理の第３例を示すフローチャートである。なお、無線親局１００によるこの発明に係わる処理は、図１３によって説明した処理（第２実施形態）と同様である。
【０１３４】
無線子局１０１の制御部１２４は、スイッチ部１２７上で無線親局１００の識別情報である親局ＩＤの送信を要求するＩＤ送信要求モードを設定するための操作が行なわれると、ＩＤ送信要求モードを設定して図１５に示す処理を開始するが、その処理は図１４によって説明した処理（第２実施形態）とほとんど同じなので、その処理と異なる部分のみを説明する。
【０１３５】
すなわち、無線親局１００から受信した親局ＩＤを制御部１２４内のＲＡＭに退避させた後、直ちに接続確認用信号を無線送信部１２２によって無線親局１００へ無線送信し、その無線送信をスイッチ部１２７上で親局ＩＤを登録するための操作が行なわれるか、あるいはＩＤ送信要求モードの設定を解除するための操作が行なわれるまで継続する。
【０１３６】
このように、第３実施形態によれば、無線子局１０１が、無線親局１００の識別情報である親局ＩＤの送信を要求するＩＤ送信要求モードの設定がなされたとき、親局ＩＤの送信要求を示すＩＤ送信要求信号を無線親局１００へ無線送信し、無線親局１００が、自局の識別情報である親局ＩＤを送信するＩＤ送信モードの設定中に、無線子局１０１からＩＤ送信要求信号を受信したとき、親局ＩＤを無線子局１０１へ無線送信し、無線子局１０１が、その親局ＩＤを受信した後、自局と無線親局１００との接続の有無を確認するための報知要求を示す接続確認用信号を無線親局１００へ無線送信し、その接続確認用信号を受信した無線親局１００が、自局と無線子局１０１とが接続されている旨をＬＥＤ又は文字表示部等の表示手段あるいはスピーカ又はブザー等の音出力手段を用いて報知し、無線子局１０１が、無線親局１００への接続確認用信号の無線送信後（ユーザによって無線親局１００と無線子局１０１とが接続されている旨を確認した後）、親局ＩＤの登録指示があったとき、先に受信した親局ＩＤを登録するので、第２実施形態と同様の効果を得ることができる。
【０１３７】
また、ユーザが無線子局１０１上で、その無線子局１０１と無線親局１００との接続の有無を確認するための報知要求を行なうための操作を行なわなくても、無線子局１０１が自動的にその要求を示す接続確認用信号を無線親局１００へ送信するので、その分だけ無線子局１０１に親局ＩＤを登録する際のユーザの作業負担を軽減することができる。
【０１３８】
〔第４実施形態：図１６，図１７〕
図１６は無線親局１００によるこの発明に係わる処理の第３例を示すフローチャート、図１７は無線子局１０１〜１０５によるこの発明に係わる処理の第４例を示すフローチャートである。
【０１３９】
無線親局１００の制御部１１４は、スイッチ部１１７上で自局の識別情報である親局ＩＤを送信するＩＤ送信モードを設定するための操作が行なわれると、ＩＤ送信モードを設定して図１６に示す処理を開始するが、最初にＩＤ送信モードが設定された旨を報知することと、ＩＤ送信モードの設定を解除する前にＩＤ送信モードが設定された旨の報知を解除すること以外は、図１３によって説明した処理と同様である。
【０１４０】
ここで、無線親局１００によるＩＤ送信モードが設定された旨の報知の具体例を以下の（１）〜（３）に示す。
（１）自局が図５に示したようにＬＥＤ表示部１１８を設けている場合は、ＩＤ送信モードが設定された旨をＬＥＤ表示部１１８上の対応するＬＥＤの点灯又は点滅等の表示によって報知する。
【０１４１】
（２）自局が図７に示したように文字表示部１１９を設けている場合は、ＩＤ送信モードが設定された旨を文字表示部１１９への文字表示によって報知する。
（３）自局が図９に示したようにスピーカ１２０を設けている場合は、ＩＤ送信モードが設定された旨をスピーカ１２０の音声出力によって報知する。
なお、自局がＬＥＤ表示部１１８又は文字表示部１１９以外の表示手段あるいはスピーカ１２０以外の音出力手段を設けている場合には、それを用いてＩＤ送信モードが設定された旨を報知することもできる。
【０１４２】
無線子局１０１の制御部１２４は、スイッチ部１２７上で無線親局１００の識別情報である親局ＩＤの送信を要求するＩＤ送信要求モードを設定するための操作が行なわれると、ＩＤ送信要求モードを設定して図１７に示す処理を開始するが、最初にＩＤ送信要求モードが設定された旨を報知することと、ＩＤ送信要求モードの設定を解除する前にＩＤ送信要求モードが設定された旨の報知を解除すること以外は、図１４によって説明した処理と同様である。
【０１４３】
ここで、無線子局１０１によるＩＤ送信要求モードが設定された旨の報知の具体例を以下の（１）〜（３）に示す。
（１）自局が図６に示したようにＬＥＤ表示部１２８を設けている場合は、ＩＤ送信要求モードが設定された旨をＬＥＤ表示部１２８上の対応するＬＥＤの点灯又は点滅等の表示によって報知する。
【０１４４】
（２）自局が図８に示したように文字表示部１２９を設けている場合は、ＩＤ送信要求モードが設定された旨を文字表示部１２９への文字表示により報知する。
（３）自局が図１０に示したようにスピーカ１３０を設けている場合は、ＩＤ送信要求モードが設定された旨をスピーカ１３０の音声出力によって報知する。
なお、自局がＬＥＤ表示部１２８又は文字表示部１２９以外の表示手段あるいはスピーカ１３０以外の音出力手段を設けている場合には、それを用いてＩＤ送信要求モードが設定された旨を報知することもできる。
【０１４５】
このように、第４実施形態によれば、無線子局１０１が、第２実施形態と同様の処理に加え、無線親局１００の識別情報である親局ＩＤの送信を要求するＩＤ送信要求モードの設定がなされたとき、その旨をＬＥＤ又は文字表示部等の表示手段あるいはスピーカ等の音出力手段を用いて報知する処理も行ない、無線親局１００が、第２実施形態と同様の処理に加え、自局の識別情報である親局ＩＤを送信するＩＤ送信モードの設定がなされたとき、その旨をＬＥＤ又は文字表示部等の表示手段あるいはスピーカ等の音出力手段を用いて報知する処理も行なうので、第２実施形態と同様の効果に加え、無線子局１０１に誤って親局ＩＤが再登録されるのを防止できるという効果も得ることができる。
【０１４６】
例えば、図４に示したように、２グループの無線システムを隣接した地域に同時に設置する場合、ユーザが無線子局１０１に無線親局１００の親局ＩＤを登録するための操作を行なった後、無線子局１０２に無線親局１００′の親局ＩＤを登録するための操作を行なう際に、誤って親局ＩＤ登録済みの無線子局１０１と無線親局１００′の操作を行ない、無線子局１０１に通信対象でない無線親局１００′の親局ＩＤが再登録（上書き）されるような不都合を回避することができる。
【０１４７】
〔第５実施形態：図１６，図１８〕
図１８は、無線子局１０１〜１０５によるこの発明に係わる処理の第５例を示すフローチャートである。なお、無線親局１００によるこの発明に係わる処理は、図１６によって説明した処理（第４実施形態）と同様である。
【０１４８】
無線子局１０１の制御部１２４は、スイッチ部１２７上で無線親局１００の識別情報である親局ＩＤの送信を要求するＩＤ送信要求モードを設定するための操作が行なわれると、ＩＤ送信要求モードを設定して図１８に示す処理を開始するが、最初にＩＤ送信要求モードが設定された旨を報知する（第４実施形態と同様）ことと、ＩＤ送信要求モードの設定を解除する前にＩＤ送信要求モードが設定された旨の報知を解除すること以外は、図１５によって説明した処理（第３実施形態）と同様である。
【０１４９】
このように、第５実施形態によれば、無線子局１０１が、第３実施形態と同様の処理に加え、無線親局１００の識別情報である親局ＩＤの送信を要求するＩＤ送信要求モードの設定がなされたとき、その旨をＬＥＤ又は文字表示部等の表示手段あるいはスピーカ等の音出力手段を用いて報知する処理も行ない、無線親局１００が、第４実施形態と同様の処理を行なうので、第３実施形態と同様の効果に加え、無線子局１０１に誤って親局ＩＤが再登録されるのを防止できるという効果も得ることができる。
【０１５０】
〔第６実施形態：図１３，図１９〕
図１９は、無線子局１０１〜１０５によるこの発明に係わる処理の第６例を示すフローチャートである。なお、無線親局１００によるこの発明に係わる処理は、図１３によって説明した処理（第２実施形態）と同様である。
【０１５１】
無線子局１０１の制御部１２４は、スイッチ部１２７上で無線親局１００の識別情報である親局ＩＤの送信を要求するＩＤ送信要求モードを設定するための操作が行なわれると、ＩＤ送信要求モードを設定して図１９に示す処理を開始するが、その処理は図１４によって説明した処理（第２実施形態）とほとんど同じなので、その処理と異なる部分のみを説明する。
【０１５２】
すなわち、無線親局１００へＩＤ送信要求信号を無線送信した後、予め設定された所定時間を経過する前に無線親局１００から親局ＩＤを受信した場合には、その受信が成功したと判断してその旨を報知する。
ここで、無線子局１０１による親局ＩＤの受信が成功した旨の報知の具体例を以下の（１）〜（３）に示す。
【０１５３】
（１）自局が図６に示したようにＬＥＤ表示部１２８を設けている場合は、親局ＩＤの受信が成功した旨をＬＥＤ表示部１２８上の対応するＬＥＤの点灯又は点滅等の表示によって報知する。
（２）自局が図８に示したように文字表示部１２９を設けている場合は、親局ＩＤの受信が成功した旨を文字表示部１２９への文字表示によって報知する。
【０１５４】
（３）自局が図１０に示したようにスピーカ１３０を設けている場合は、親局ＩＤの受信が成功した旨をスピーカ１３０の音声出力によって報知する。
なお、自局がＬＥＤ表示部１２８又は文字表示部１２９以外の表示手段あるいはスピーカ１３０以外の音出力手段を設けている場合には、それを用いて親局ＩＤの受信が成功した旨を報知することもできる。
【０１５５】
一方、無線親局１００へＩＤ送信要求信号を無線送信した後、予め設定された所定時間を経過しても無線親局１００から親局ＩＤを受信できなかった場合には、その受信が失敗したと判断してその旨を報知する。
ここで、無線子局１０１による親局ＩＤの受信が失敗した旨の報知の具体例を以下の（１）〜（３）に示す。
【０１５６】
（１）自局が図６に示したようにＬＥＤ表示部１２８を設けている場合は、親局ＩＤの受信が失敗した旨をＬＥＤ表示部１２８上の対応するＬＥＤの点灯又は点滅等の表示によって報知する。
（２）自局が図８に示したように文字表示部１２９を設けている場合は、親局ＩＤの受信が失敗した旨を文字表示部１２９への文字表示によって報知する。
【０１５７】
（３）自局が図１０に示したようにスピーカ１３０を設けている場合は、親局ＩＤの受信が失敗した旨をスピーカ１３００の音声出力によって報知する。
なお、自局がＬＥＤ表示部１２８又は文字表示部１２９以外の表示手段あるいはスピーカ１３０以外の音出力手段を設けている場合には、それを用いて親局ＩＤの受信が失敗した旨を報知することもできる。
【０１５８】
親局ＩＤの受信が失敗した旨を報知した後は、無線親局１００との無線通信回線を切断する処理を行ない、ＩＤ送信要求モードの設定を解除する。
親局ＩＤの受信が成功した旨を報知した場合は、その後スイッチ部１２７上で親局ＩＤを登録するための操作が行なわれて親局ＩＤの登録を行なった後、あるいはスイッチ部１２７上でＩＤ送信要求モードの設定を解除するための操作が行なわれた後、親局ＩＤの受信が成功した旨の報知を解除する。
【０１５９】
このように、第６実施形態によれば、無線親局１００が、第２実施形態と同様の処理を行ない、無線子局１０１が、第２実施形態と略同様の処理に加え、無線親局１００へＩＤ送信要求信号を無線送信した後、予め設定された所定時間内に無線親局１００から親局ＩＤを受信した場合には、その受信が成功したと判断してその旨をＬＥＤ又は文字表示部等の表示手段あるいはスピーカ等の音出力手段を用いて報知し、上記所定時間内に無線親局１００から親局ＩＤを受信できなかった場合には、その受信が失敗したと判断してその旨をＬＥＤ又は文字表示部等の表示手段あるいはスピーカ等の音出力手段を用いて報知する処理を行なうので、次のような効果を得ることができる。
【０１６０】
すなわち、ユーザは無線子局１０１で通信対象となる無線親局１００の親局ＩＤが取得できたかどうかを正確に確認できるため、無線子局１０１に通信対象となる無線親局１００の親局ＩＤをより確実に登録することができる。
なお、親局ＩＤの受信が成功した旨又は失敗した旨のいずれか一方のみを報知可能にすることもできる。
【０１６１】
〔第７実施形態：図１３，図２０〕
図２０は、無線子局１０１〜１０５によるこの発明に係わる処理の第７例を示すフローチャートである。なお、無線親局１００によるこの発明に係わる処理は、図１３によって説明した処理（第２実施形態）と同様である。
【０１６２】
無線子局１０１の制御部１２４は、スイッチ部１２７上で無線親局１００の識別情報である親局ＩＤの送信を要求するＩＤ送信要求モードを設定するための操作が行なわれると、ＩＤ送信要求モードを設定して図２０に示す処理を開始するが、その処理は図１５によって説明した処理（第３実施形態）とほとんど同じなので、その処理と異なる部分のみを説明する。
【０１６３】
すなわち、無線親局１００へＩＤ送信要求信号を無線送信した後、予め設定された所定時間を経過する前に無線親局１００から親局ＩＤを受信した場合には、その受信が成功したと判断してその旨を報知する（第６実施形態と同様）。
また、無線親局１００へＩＤ送信要求信号を無線送信した後、予め設定された所定時間を経過しても無線親局１００から親局ＩＤを受信できなかった場合には、その受信が失敗したと判断してその旨を報知する（第６実施形態と同様）。
【０１６４】
親局ＩＤの受信が失敗した旨を報知した後は、無線親局１００との無線通信回線を切断する処理を行ない、ＩＤ送信要求モードの設定を解除する。
親局ＩＤの受信が成功した旨を報知した場合は、その後スイッチ部１２７上で親局ＩＤを登録するための操作が行なわれて親局ＩＤの登録を行なった後、あるいはスイッチ部１２７上でＩＤ送信要求モードの設定を解除するための操作が行なわれた後、親局ＩＤの受信が成功した旨の報知を解除する。
【０１６５】
このように、第７実施形態によれば、無線親局１００が、第２実施形態と同様の処理を行ない、無線子局１０１が、第３実施形態と略同様の処理に加え、無線親局１００へＩＤ送信要求信号を無線送信した後、予め設定された所定時間内に無線親局１００から親局ＩＤを受信した場合には、その受信が成功したと判断してその旨をＬＥＤ又は文字表示部等の表示手段あるいはスピーカ等の音出力手段を用いて報知し、上記所定時間内に無線親局１００から親局ＩＤを受信できなかった場合には、その受信が失敗したと判断してその旨をＬＥＤ又は文字表示部等の表示手段あるいはスピーカ等の音出力手段を用いて報知する処理を行なうので、第６実施形態と同様な効果を得ることができる。
【０１６６】
また、ユーザが無線子局１０１上で、その無線子局１０１と無線親局１００との接続の有無を確認するための報知要求を行なうための操作を行なわなくても、無線子局１０１が自動的にその要求を示す接続確認用信号を無線親局１００へ送信するので、その分だけ無線子局１０１に親局ＩＤを登録する際のユーザの作業負担を軽減することができる。
なお、親局ＩＤの受信が成功した旨又は失敗した旨のいずれか一方のみを報知可能にすることもできる。
【０１６７】
〔第８実施形態：図１６，図２１〕
図２１は、無線子局１０１〜１０５によるこの発明に係わる処理の第８例を示すフローチャートである。なお、無線親局１００によるこの発明に係わる処理は、図１６によって説明した処理（第４実施形態）と同様である。
【０１６８】
無線子局１０１の制御部１２４は、スイッチ部１２７上で無線親局１００の識別情報である親局ＩＤの送信を要求するＩＤ送信要求モードを設定するための操作が行なわれると、ＩＤ送信要求モードを設定して図２１に示す処理を開始するが、その処理は図１７によって説明した処理（第４実施形態）とほとんど同じなので、その処理と異なる部分のみを説明する。
【０１６９】
すなわち、無線親局１００へＩＤ送信要求信号を無線送信した後、予め設定された所定時間を経過する前に無線親局１００から親局ＩＤを受信した場合には、その受信が成功したと判断してその旨を報知する（第６実施形態と同様）。
また、無線親局１００へＩＤ送信要求信号を無線送信した後、予め設定された所定時間を経過しても無線親局１００から親局ＩＤを受信できなかった場合には、その受信が失敗したと判断してその旨を報知する（第６実施形態と同様）。
【０１７０】
親局ＩＤの受信が失敗した旨を報知した後は、無線親局１００との無線通信回線を切断する処理を行ない、ＩＤ送信要求モードが設定された旨の報知を解除し、ＩＤ送信要求モードの設定を解除する。
親局ＩＤの受信が成功した旨を報知した場合は、その後スイッチ部１２７上で親局ＩＤを登録するための操作が行なわれて親局ＩＤの登録を行なった後、あるいはスイッチ部１２７上でＩＤ送信要求モードの設定を解除するための操作が行なわれた後、親局ＩＤの受信が成功した旨の報知を解除する。
【０１７１】
このように、第８実施形態によれば、無線親局１００が、第４実施形態と同様の処理を行ない、無線子局１０１が、第４実施形態と略同様の処理に加え、無線親局１００へＩＤ送信要求信号を無線送信した後、予め設定された所定時間内に無線親局１００から親局ＩＤを受信した場合には、その受信が成功したと判断してその旨をＬＥＤ又は文字表示部等の表示手段あるいはスピーカ等の音出力手段を用いて報知し、上記所定時間内に無線親局１００から親局ＩＤを受信できなかった場合には、その受信が失敗したと判断してその旨をＬＥＤ又は文字表示部等の表示手段あるいはスピーカ等の音出力手段を用いて報知する処理を行なうので、第６実施形態と同様な効果を得ることができる。
【０１７２】
また、無線子局１０１に誤って親局ＩＤが再登録されるのを防止できるという効果も得ることができる。
なお、親局ＩＤの受信が成功した旨又は失敗した旨のいずれか一方のみを報知可能にすることもできる。
【０１７３】
〔第９実施形態：図１６，図２２〕
図２２は、無線子局１０１〜１０５によるこの発明に係わる処理の第９例を示すフローチャートである。なお、無線親局１００によるこの発明に係わる処理は、図１６によって説明した処理（第４実施形態）と同様である。
【０１７４】
無線子局１０１の制御部１２４は、スイッチ部１２７上で無線親局１００の識別情報である親局ＩＤの送信を要求するＩＤ送信要求モードを設定するための操作が行なわれると、ＩＤ送信要求モードを設定して図２２に示す処理を開始するが、その処理は図１８によって説明した処理（第５実施形態）とほとんど同じなので、その処理と異なる部分のみを説明する。
【０１７５】
すなわち、無線親局１００へＩＤ送信要求信号を無線送信した後、予め設定された所定時間を経過する前に無線親局１００から親局ＩＤを受信した場合には、その受信が成功したと判断してその旨を報知する（第６実施形態と同様）。
また、無線親局１００へＩＤ送信要求信号を無線送信した後、予め設定された所定時間を経過しても無線親局１００から親局ＩＤを受信できなかった場合には、その受信が失敗したと判断してその旨を報知する（第６実施形態と同様）。
【０１７６】
親局ＩＤの受信が失敗した旨を報知した後は、無線親局１００との無線通信回線を切断する処理を行ない、ＩＤ送信要求モードが設定された旨の報知を解除し、ＩＤ送信要求モードの設定を解除する。
親局ＩＤの受信が成功した旨を報知した場合は、その後スイッチ部１２７上で親局ＩＤを登録するための操作が行なわれて親局ＩＤの登録を行なった後、あるいはスイッチ部１２７上でＩＤ送信要求モードの設定を解除するための操作が行なわれた後、親局ＩＤの受信が成功した旨の報知を解除する。
【０１７７】
このように、第９実施形態によれば、無線親局１００が、第４実施形態と同様の処理を行ない、無線子局１０１が、第５実施形態と略同様の処理に加え、無線親局１００へＩＤ送信要求信号を無線送信した後、予め設定された所定時間内に無線親局１００から親局ＩＤを受信した場合には、その受信が成功したと判断してその旨をＬＥＤ又は文字表示部等の表示手段あるいはスピーカ等の音出力手段を用いて報知し、上記所定時間内に無線親局１００から親局ＩＤを受信できなかった場合には、その受信が失敗したと判断してその旨をＬＥＤ又は文字表示部等の表示手段あるいはスピーカ等の音出力手段を用いて報知する処理を行なうので、第６実施形態と同様な効果を得ることができる。
【０１７８】
また、ユーザが無線子局１０１上で、その無線子局１０１と無線親局１００との接続の有無を確認するための報知要求を行なうための操作を行なわなくても、無線子局１０１が自動的にその要求を示す接続確認用信号を無線親局１００へ送信するので、その分だけ無線子局１０１に親局ＩＤを登録する際のユーザの作業負担を軽減することができる。
【０１７９】
さらに、無線子局１０１に誤って親局ＩＤが再登録されるのを防止できるという効果も得ることができる。
なお、親局ＩＤの受信が成功した旨又は失敗した旨のいずれか一方のみを報知可能にすることもできる。
【０１８０】
〔第１０実施形態：図２３，図２４〕
図２３は無線親局１００によるこの発明に係わる処理の第４例を示すフローチャート、図２４は無線子局１０１〜１０５によるこの発明に係わる処理の第１０例を示すフローチャートである。
【０１８１】
無線親局１００の制御部１１４は、スイッチ部１１７上で自局の識別情報である親局ＩＤを送信するＩＤ送信モード（親局情報送信モード）を設定するための操作が行なわれると、スイッチ部１１７からＩＤ送信モードの設定が指示されるため、ＩＤ送信モードを設定して図２３に示す処理を開始し、そのＩＤ送信モードの設定中は親局ＩＤを無線送信部１１２によって無線子局１０１へ繰り返し無線送信する。このとき、無線親局１００との間に無線通信回線を形成する。
【０１８２】
無線子局１０１の制御部１２４は、スイッチ部１２７上で無線親局１００の識別情報である親局ＩＤを受信するＩＤ受信モード（親局情報受信モード）を設定するための操作が行なわれると、スイッチ部１２７からＩＤ受信モードの設定が指示されるため、ＩＤ受信モードを設定して図２４に示す処理を開始する。
【０１８３】
そして、ＩＤ受信モードの設定中に無線親局１００から無線受信部１２３によって親局ＩＤを受信すると、それを不揮発性メモリ１２６に記憶して登録した後、ＩＤ受信モードの設定を解除する。
スイッチ部１２７上でＩＤ受信モードの設定を解除（終了）するための操作が行なわれると、ＩＤ受信モードの設定解除が指示されるため、ＩＤ受信モードの設定を解除する。
【０１８４】
無線親局１００の制御部１１４も、スイッチ部１１７上でＩＤ送信モードの設定を解除するための操作が行なわれると、ＩＤ送信モードの設定解除が指示されるため、無線子局１０１との無線通信回線を切断する処理を行ない、ＩＤ送信モードの設定を解除する。
【０１８５】
このように、第１０実施形態によれば、無線親局１００が、自局の識別情報である親局ＩＤを送信するＩＤ送信モードの設定中は親局ＩＤを無線子局１０１へ繰り返し無線送信し、無線子局１０１が、無線親局１００の識別情報である親局ＩＤを受信するＩＤ受信モードの設定中に、無線親局１００から無線受信部１２３によって親局ＩＤを受信した場合に、その親局ＩＤを登録するので、第１実施形態と同様の効果を得ることができる。
【０１８６】
また、無線親局１００がＩＤ送信モードの設定中は親局ＩＤを無線子局１０１へ繰り返し無線送信するので、第１実施形態のように無線子局１０１からＩＤ送信要求信号を送信させて無線親局１００に受信させる必要がなくなり、その分だけ無線親局１００と無線子局１０１の処理を簡素化でき、処理効率を向上させることができる。
【０１８７】
〔第１１実施形態：図２５，図２６〕
図２５は無線親局１００によるこの発明に係わる処理の第５例を示すフローチャート、図２６は無線子局１０１〜１０５によるこの発明に係わる処理の第１１例を示すフローチャートである。
【０１８８】
無線親局１００の制御部１１４は、スイッチ部１１７上で自局の識別情報である親局ＩＤを送信するＩＤ送信モードを設定するための操作が行なわれると、スイッチ部１１７からＩＤ送信モードの設定が指示されるため、ＩＤ送信モードを設定して図２５に示す処理を開始し、そのＩＤ送信モードの設定中は親局ＩＤを無線送信部１１２によって無線子局１０１へ繰り返し無線送信する。
【０１８９】
無線子局１０１は、スイッチ部１２７上で無線親局１００の識別情報である親局ＩＤを受信するＩＤ受信モードを設定するための操作が行なわれると、スイッチ部１２７からＩＤ受信モードの設定が指示されるため、ＩＤ受信モードを設定して図２６に示す処理を開始し、そのＩＤ受信モードの設定中に無線親局１００から無線受信部１２３によって親局ＩＤを受信すると、それをいったん制御部１２４内のＲＡＭに退避させ、ユーザによる次の操作を待つ。
【０１９０】
ここで、スイッチ部１２７上の接続確認用スイッチが押下されると、スイッチ部１２７から無線子局１０１と無線親局１００との接続の有無を確認するための報知要求が指示されるため、そのスイッチが押下されている（その報知要求が指示されている）間だけ、その報知要求を示す接続確認用信号（接続報知要求信号）を無線親局１００へ無線送信する。
【０１９１】
無線親局１００の制御部１１４は、無線子局１０１から無線受信部１１３によって接続確認用信号を受信している間は、自局と無線子局１０１とが接続されている旨を報知し、接続確認用信号を受信できなくなった時点でその報知を解除する。
なお、無線親局１００と無線子局１０１とが接続されている旨の報知の具体例は、第２実施形態と同様である。
【０１９２】
無線子局１０１の制御部１２４は、スイッチ部１２７上で親局ＩＤを登録するための操作が行なわれると、スイッチ部１２７から親局ＩＤの登録が指示されるため、先に受信して制御部１２４内のＲＡＭにいったん退避させておいた親局ＩＤを不揮発性メモリ１２６に記憶して登録した後、ＩＤ受信モードの設定を解除する。
なお、接続確認用信号を無線親局１００へ無線送信した場合にのみ、親局ＩＤの登録を可能にすることもできる。
【０１９３】
スイッチ部１２７上でＩＤ受信モードの設定を解除するための操作が行なわれると、ＩＤ受信モードの設定解除が指示されるため、ＩＤ受信モードの設定を解除する。
【０１９４】
無線親局１００の制御部１１４は、無線子局１０１からの無線キャリアが消失することにより、これまで接続していた無線子局１０１との通信を終了し、スイッチ部１１７上でＩＤ送信モードの設定を解除（終了）するための操作が行なわれると、ＩＤ送信モードの設定解除が指示されるため、無線子局１０１との無線通信回線を切断する処理を行ない、ＩＤ送信モードの設定を解除する。
【０１９５】
このように、第１１実施形態によれば、無線親局１００が、自局の識別情報である親局ＩＤを送信するＩＤ送信モードの設定中は親局ＩＤを無線子局１０１へ繰り返し無線送信し、無線子局１０１が、無線親局１００の識別情報である親局ＩＤを受信するＩＤ受信モードの設定中に、無線親局１００から無線受信部１２３によって親局ＩＤを受信した後、自局と無線親局１００との接続の有無を確認するための報知要求の指示があったとき、その報知要求を示す接続確認用信号を無線親局１００へ無線送信し、その接続確認用信号を受信した無線親局１００が、自局と無線子局１０１とが接続されている旨をＬＥＤ又は文字表示部等の表示手段あるいはスピーカ又はブザー等の音出力手段を用いて報知し、無線子局１０１が、無線親局１００への接続確認用信号の無線送信後（ユーザによって無線親局１００と無線子局１０１とが接続されている旨を確認した後）、親局ＩＤの登録指示があったとき、先に受信した親局ＩＤを登録するので、第２実施形態と同様の効果を得ることができる。
【０１９６】
また、無線親局１００がＩＤ送信モードの設定中は親局ＩＤを無線子局１０１へ繰り返し無線送信するので、第２実施形態のように無線子局１０１からＩＤ送信要求信号を送信させて無線親局１００に受信させる必要がなくなり、その分だけ無線親局１００と無線子局１０１の処理を簡素化でき、処理効率を向上させることができる。
【０１９７】
〔第１２実施形態：図２５，図２７〕
図２７は、無線子局１０１〜１０５によるこの発明に係わる処理の第１２例を示すフローチャートである。なお、無線親局１００によるこの発明に係わる処理は、図２５によって説明した処理（第１１実施形態）と同様である。
【０１９８】
無線子局１０１の制御部１２４は、スイッチ部１２７上で無線親局１００の識別情報である親局ＩＤを受信するＩＤ受信モードを設定するための操作が行なわれると、ＩＤ受信モードを設定して図２７に示す処理を開始するが、その処理は図２６によって説明した処理（第１１実施形態）とほとんど同じなので、その処理と異なる部分のみを説明する。
【０１９９】
すなわち、無線親局１００から受信した親局ＩＤを制御部１２４内のＲＡＭに退避させた後、直ちに接続確認用信号を無線親局１００へ無線送信し、その無線送信をスイッチ部１２７上で親局ＩＤを登録するための操作が行なわれるか、あるいはＩＤ送信要求モードの設定を解除するための操作が行なわれるまで継続する。
【０２００】
このように、第１２実施形態によれば、自局の識別情報である親局ＩＤを送信するＩＤ送信モードの設定中は親局ＩＤを無線子局１０１へ繰り返し無線送信し、無線子局１０１が、無線親局１００の識別情報である親局ＩＤを受信するＩＤ受信モードの設定中に、無線親局１００から親局ＩＤを受信した後、自局と無線親局１００との接続の有無を確認するための報知要求を示す接続確認用信号を無線親局１００へ無線送信し、その接続確認用信号を受信した無線親局１００が、自局と無線子局１０１とが接続されている旨をＬＥＤ又は文字表示部等の表示手段あるいはスピーカ又はブザー等の音出力手段を用いて報知し、無線子局１０１が、無線親局１００への接続確認用信号の無線送信後（ユーザによって無線親局１００と無線子局１０１とが接続されている旨を確認した後）、親局ＩＤの登録指示があったとき、先に受信した親局ＩＤを登録するので、第１１実施形態と同様の効果を得ることができる。
【０２０１】
また、ユーザが無線子局１０１上で、その無線子局１０１と無線親局１００との接続の有無を確認するための報知要求を行なうための操作を行なわなくても、無線子局１０１が自動的にその要求を示す接続確認用信号を無線親局１００へ送信するので、その分だけ無線子局１０１に親局ＩＤを登録する際のユーザの作業負担を軽減することができる。
【０２０２】
〔第１３実施形態：図２８，図２９〕
図２８は無線親局１００によるこの発明に係わる処理の第６例を示すフローチャート、図２９は無線子局１０１〜１０５によるこの発明に係わる処理の第１３例を示すフローチャートである。
【０２０３】
無線親局１００の制御部１１４は、スイッチ部１１７上で自局の識別情報である親局ＩＤを送信するＩＤ送信モードを設定するための操作が行なわれると、ＩＤ送信モードを設定して図２８に示す処理を開始するが、最初にＩＤ送信モードが設定された旨を報知する（第４実施形態と同様）ことと、ＩＤ送信モードの設定を解除する前にＩＤ送信モードが設定された旨の報知を解除すること以外は、図２５によって説明した処理と同様である。
【０２０４】
無線子局１０１の制御部１２４は、スイッチ部１２７上で無線親局１００の識別情報である親局ＩＤを受信するＩＤ受信モードを設定するための操作が行なわれると、ＩＤ受信モードを設定して図２９に示す処理を開始するが、最初にＩＤ受信モードが設定された旨を報知することと、ＩＤ受信モードの設定を解除する前にＩＤ受信モードが設定された旨の報知を解除すること以外は、図２６によって説明した処理と同様である。
【０２０５】
ここで、無線子局１０１によるＩＤ受信モードが設定された旨の報知の具体例を以下の（１）〜（３）に示す。
（１）自局が図６に示したようにＬＥＤ表示部１２８を設けている場合は、ＩＤ受信モードが設定された旨をＬＥＤ表示部１２８上の対応するＬＥＤの点灯又は点滅等の表示によって報知する。
【０２０６】
（２）自局が図８に示したように文字表示部１２９を設けている場合は、ＩＤ受信モードが設定された旨を文字表示部１２９への文字表示により報知する。
（３）自局が図１０に示したようにスピーカ１３０を設けている場合は、ＩＤ受信求モードが設定された旨をスピーカ１３０の音声出力によって報知する。
なお、自局がＬＥＤ表示部１２８又は文字表示部１２９以外の表示手段あるいはスピーカ１３０以外の音出力手段を設けている場合には、それを用いてＩＤ受信モードが設定された旨を報知することもできる。
【０２０７】
このように、第１３実施形態によれば、無線親局１００が、第１１実施形態と同様の処理に加え、自局の識別情報である親局ＩＤを送信するＩＤ送信モードの設定がなされたとき、その旨をＬＥＤ又は文字表示部等の表示手段あるいはスピーカ等の音出力手段を用いて報知する処理も行ない、無線子局１０１が、第１１実施形態と同様の処理に加え、無線親局１００の識別情報である親局ＩＤを受信するＩＤ受信モードの設定がなされたとき、その旨をＬＥＤ又は文字表示部等の表示手段あるいはスピーカ等の音出力手段を用いて報知する処理も行なうので、第１１実施形態と同様の効果に加え、無線子局１０１に誤って親局ＩＤが再登録されるのを防止できるという効果も得ることができる。
【０２０８】
〔第１４実施形態：図２８，図３０〕
図３０は、無線子局１０１〜１０５によるこの発明に係わる処理の第１４例を示すフローチャートである。なお、無線親局１００によるこの発明に係わる処理は、図２８によって説明した処理（第１３実施形態）と同様である。
【０２０９】
無線子局１０１の制御部１２４は、スイッチ部１２７上で無線親局１００の識別情報である親局ＩＤを受信するＩＤ受信モードを設定するための操作が行なわれると、ＩＤ受信モードを設定して図３０に示す処理を開始するが、最初にＩＤ受信モードが設定された旨を報知する（第１３実施形態と同様）ことと、ＩＤ受信モードの設定を解除する前にＩＤ受信モードが設定された旨の報知を解除すること以外は、図２７によって説明した処理（第１２実施形態）と同様である。
【０２１０】
このように、第１４実施形態によれば、無線親局１００が、第１３実施形態と同様の処理を行ない、無線子局１０１が、第１２実施形態と同様の処理に加え、無線親局１００の識別情報である親局ＩＤを受信するＩＤ受信モードの設定がなされたとき、その旨をＬＥＤ又は文字表示部等の表示手段あるいはスピーカ等の音出力手段を用いて報知する処理も行なうので、第１２実施形態と同様の効果に加え、無線子局１０１に誤って親局ＩＤが再登録されるのを防止できるという効果も得ることができる。
【０２１１】
〔第１５実施形態：図２５，図３１〕
図３１は、無線子局１０１〜１０５によるこの発明に係わる処理の第１５例を示すフローチャートである。なお、無線親局１００によるこの発明に係わる処理は、図２５によって説明した処理（第１１実施形態）と同様である。
【０２１２】
無線子局１０１の制御部１２４は、スイッチ部１２７上で無線親局１００の識別情報である親局ＩＤを受信するＩＤ受信モードを設定するための操作が行なわれると、ＩＤ受信モードを設定して図３１に示す処理を開始するが、その処理は図２６によって説明した処理（第１１実施形態）とほとんど同じなので、その処理と異なる部分のみを説明する。
【０２１３】
すなわち、ＩＤ受信モードを設定して処理を開始した後、予め設定された所定時間を経過する前に無線親局１００から親局ＩＤを受信した場合には、その受信が成功したと判断してその旨を報知する（第６実施形態と同様）。
また、ＩＤ受信モードを設定して処理を開始した後、予め設定された所定時間を経過しても無線親局１００から親局ＩＤを受信できなかった場合には、その受信が失敗したと判断してその旨を報知する（第６実施形態と同様）。
【０２１４】
親局ＩＤの受信が失敗した旨を報知した後は、ＩＤ受信モードの設定を解除する。
親局ＩＤの受信が成功した旨を報知した場合は、その後スイッチ部１２７上で親局ＩＤを登録するための操作が行なわれて親局ＩＤの登録を行なった後、あるいはスイッチ部１２７上でＩＤ受信モードの設定を解除するための操作が行なわれた後、親局ＩＤの受信が成功した旨の報知を解除する。
【０２１５】
このように、第１５実施形態によれば、無線親局１００が、第１１実施形態と同様の処理を行ない、無線子局１０１が、第１１実施形態と略同様の処理に加え、ＩＤ受信モードを設定した後、予め設定された所定時間内に無線親局１００から親局ＩＤを受信した場合には、その受信が成功したと判断してその旨をＬＥＤ又は文字表示部等の表示手段あるいはスピーカ等の音出力手段を用いて報知し、上記所定時間内に無線親局１００から親局ＩＤを受信できなかった場合には、その受信が失敗したと判断してその旨をＬＥＤ又は文字表示部等の表示手段あるいはスピーカ等の音出力手段を用いて報知する処理を行なうので、次のような効果を得ることができる。
【０２１６】
すなわち、ユーザは無線子局１０１で通信対象となる無線親局１００の親局ＩＤが取得できたかどうかを正確に確認できるため、無線子局１０１に通信対象となる無線親局１００の親局ＩＤをより確実に登録することができる。
なお、親局ＩＤの受信が成功した旨又は失敗した旨のいずれか一方のみを報知可能にすることもできる。
【０２１７】
〔第１６実施形態：図２５，図３２〕
図３２は、無線子局１０１〜１０５によるこの発明に係わる処理の第１６例を示すフローチャートである。なお、無線親局１００によるこの発明に係わる処理は、図２５によって説明した処理（第１１実施形態）と同様である。
【０２１８】
無線子局１０１の制御部１２４は、スイッチ部１２７上で無線親局１００の識別情報である親局ＩＤを受信するＩＤ受信モードを設定するための操作が行なわれると、ＩＤ受信モードを設定して図３２に示す処理を開始するが、その処理は図２７によって説明した処理（第１２実施形態）とほとんど同じなので、その処理と異なる部分のみを説明する。
【０２１９】
すなわち、ＩＤ受信モードを設定して処理を開始した後、予め設定された所定時間を経過する前に無線親局１００から親局ＩＤを受信した場合には、その受信が成功したと判断してその旨を報知する（第６実施形態と同様）。
また、ＩＤ受信モードを設定して処理を開始した後、予め設定された所定時間を経過しても無線親局１００から親局ＩＤを受信できなかった場合には、その受信が失敗したと判断してその旨を報知する（第６実施形態と同様）。
【０２２０】
親局ＩＤの受信が失敗した旨を報知した後は、ＩＤ受信モードの設定を解除する。
親局ＩＤの受信が成功した旨を報知した場合は、その後スイッチ部１２７上で親局ＩＤを登録するための操作が行なわれて親局ＩＤの登録を行なった後、あるいはスイッチ部１２７上でＩＤ受信モードの設定を解除するための操作が行なわれた後、親局ＩＤの受信が成功した旨の報知を解除する。
【０２２１】
このように、第１６実施形態によれば、無線親局１００が、第１１実施形態と同様の処理を行ない、無線子局１０１が、第１２実施形態と略同様の処理に加え、ＩＤ受信モードを設定した後、予め設定された所定時間内に無線親局１００から親局ＩＤを受信した場合には、その受信が成功したと判断してその旨をＬＥＤ又は文字表示部等の表示手段あるいはスピーカ等の音出力手段を用いて報知し、上記所定時間内に無線親局１００から親局ＩＤを受信できなかった場合には、その受信が失敗したと判断してその旨をＬＥＤ又は文字表示部等の表示手段あるいはスピーカ等の音出力手段を用いて報知する処理を行なうので、第１５実施形態と同様な効果を得ることができる。
【０２２２】
また、ユーザが無線子局１０１上で、その無線子局１０１と無線親局１００との接続の有無を確認するための報知要求を行なうための操作を行なわなくても、無線子局１０１が自動的にその要求を示す接続確認用信号を無線親局１００へ送信するので、その分だけ無線子局１０１に親局ＩＤを登録する際のユーザの作業負担を軽減することができる。
なお、親局ＩＤの受信が成功した旨又は失敗した旨のいずれか一方のみを報知可能にすることもできる。
【０２２３】
〔第１７実施形態：図２８，図３３〕
図３３は、無線子局１０１〜１０５によるこの発明に係わる処理の第１７例を示すフローチャートである。なお、無線親局１００によるこの発明に係わる処理は、図２８によって説明した処理（第１３実施形態）と同様である。
【０２２４】
無線子局１０１の制御部１２４は、スイッチ部１２７上で無線親局１００の識別情報である親局ＩＤを受信するＩＤ受信モードを設定するための操作が行なわれると、ＩＤ受信モードを設定して図３３に示す処理を開始するが、その処理は図２９によって説明した処理（第１３実施形態）とほとんど同じなので、その処理と異なる部分のみを説明する。
【０２２５】
すなわち、ＩＤ受信モードを設定して処理を開始した後、予め設定された所定時間を経過する前に無線親局１００から親局ＩＤを受信した場合には、その受信が成功したと判断してその旨を報知する（第６実施形態と同様）。
また、ＩＤ受信モードを設定して処理を開始した後、予め設定された所定時間を経過しても無線親局１００から親局ＩＤを受信できなかった場合には、その受信が失敗したと判断してその旨を報知する（第６実施形態と同様）。
【０２２６】
親局ＩＤの受信が失敗した旨を報知した後は、ＩＤ受信モードが設定された旨の報知を解除し、ＩＤ受信モードの設定を解除する。
親局ＩＤの受信が成功した旨を報知した場合は、その後スイッチ部１２７上で親局ＩＤを登録するための操作が行なわれて親局ＩＤの登録を行なった後、あるいはスイッチ部１２７上でＩＤ受信モードの設定を解除するための操作が行なわれた後、親局ＩＤの受信が成功した旨の報知を解除する。
【０２２７】
このように、第１７実施形態によれば、無線親局１００が、第１３実施形態と同様の処理を行ない、無線子局１０１が、第１３実施形態と略同様の処理に加え、ＩＤ受信モードを設定した後、予め設定された所定時間内に無線親局１００から親局ＩＤを受信した場合には、その受信が成功したと判断してその旨をＬＥＤ又は文字表示部等の表示手段あるいはスピーカ等の音出力手段を用いて報知し、上記所定時間内に無線親局１００から親局ＩＤを受信できなかった場合には、その受信が失敗したと判断してその旨をＬＥＤ又は文字表示部等の表示手段あるいはスピーカ等の音出力手段を用いて報知する処理を行なうので、第１５実施形態と同様な効果を得ることができる。
【０２２８】
また、無線子局１０１に誤って親局ＩＤが再登録されるのを防止できるという効果も得ることができる。
なお、親局ＩＤの受信が成功した旨又は失敗した旨のいずれか一方のみを報知可能にすることもできる。
【０２２９】
〔第１８実施形態：図２８，図３４〕
図３４は、無線子局１０１〜１０５によるこの発明に係わる処理の第１８例を示すフローチャートである。なお、無線親局１００によるこの発明に係わる処理は、図２８によって説明した処理（第１３実施形態）と同様である。
【０２３０】
無線子局１０１の制御部１２４は、スイッチ部１２７上で無線親局１００の識別情報である親局ＩＤを受信するＩＤ受信モードを設定するための操作が行なわれると、ＩＤ受信モードを設定して図３４に示す処理を開始するが、その処理は図３０によって説明した処理（第１４実施形態）とほとんど同じなので、その処理と異なる部分のみを説明する。
【０２３１】
すなわち、ＩＤ受信モードを設定して処理を開始した後、予め設定された所定時間を経過する前に無線親局１００から親局ＩＤを受信した場合には、その受信が成功したと判断してその旨を報知する（第６実施形態と同様）。
また、ＩＤ受信モードを設定して処理を開始した後、予め設定された所定時間を経過しても無線親局１００から親局ＩＤを受信できなかった場合には、その受信が失敗したと判断してその旨を報知する（第６実施形態と同様）。
【０２３２】
親局ＩＤの受信が失敗した旨を報知した後は、ＩＤ受信モードが設定された旨の報知を解除し、ＩＤ受信モードの設定を解除する。
親局ＩＤの受信が成功した旨を報知した場合は、その後スイッチ部１２７上で親局ＩＤを登録するための操作が行なわれて親局ＩＤの登録を行なった後、あるいはスイッチ部１２７上でＩＤ受信モードの設定を解除するための操作が行なわれた後、親局ＩＤの受信が成功した旨の報知を解除する。
【０２３３】
このように、第１８実施形態によれば、無線親局１００が、第１３実施形態と同様の処理を行ない、無線子局１０１が、第１４実施形態と略同様の処理に加え、ＩＤ受信モードを設定した後、予め設定された所定時間内に無線親局１００から親局ＩＤを受信した場合には、その受信が成功したと判断してその旨をＬＥＤ又は文字表示部等の表示手段あるいはスピーカ等の音出力手段を用いて報知し、上記所定時間内に無線親局１００から親局ＩＤを受信できなかった場合には、その受信が失敗したと判断してその旨をＬＥＤ又は文字表示部等の表示手段あるいはスピーカ等の音出力手段を用いて報知する処理を行なうので、第１５実施形態と同様な効果を得ることができる。
【０２３４】
また、ユーザが無線子局１０１上で、その無線子局１０１と無線親局１００との接続の有無を確認するための報知要求を行なうための操作を行なわなくても、無線子局１０１が自動的にその要求を示す接続確認用信号を無線親局１００へ送信するので、その分だけ無線子局１０１に親局ＩＤを登録する際のユーザの作業負担を軽減することができる。
【０２３５】
さらに、無線子局１０１に誤って親局ＩＤが再登録されるのを防止できるという効果も得ることができる。
なお、親局ＩＤの受信が成功した旨又は失敗した旨のいずれか一方のみを報知可能にすることもできる。
【０２３６】
以上、各実施形態の処理を説明したが、その他の処理（無線通信装置を介したデータ通信装置７と画像形成装置１〜５との通信処理や公衆回線８を介したデータ通信装置７と中央制御装置６との通信処理を含む画像形成装置管理システムにおける基本的な処理）は、この発明には直接関係しないので、ここではその説明を省略するが、本出願人が先に出願した特願平１１−３４２５４２号あるいは特願２０００−１４６８９９の明細書および図面に記載されたものと同様である。
【０２３７】
【発明の効果】
以上説明してきたように、この発明によれば、画像形成装置管理システムを構成する画像形成装置とデータ通信装置との間を無線通信装置を用いて無線化する場合、特別なツールを用いなくても、無線通信装置の無線子局に通信対象とする無線親局の識別情報を登録することができる。また、１台の無線親局の識別情報を複数台の無線子局に順次連続的に登録することもできる。
【図面の簡単な説明】
【図１】この発明を実施する画像形成装置管理システムの構成例を示すブロック図である。
【図２】同じく他の構成例を示すブロック図である。
【図３】図１，図２の無線通信装置を構成する無線親局１００および無線子局１０１のこの発明に係わる処理（実施形態）によって得られる効果を説明するための図である。
【図４】同じくこの発明に係わる処理によって得られる他の効果を説明するための図である。
【図５】図１，図２の無線親局１００の構成例を示すブロック図である。
【図６】図１，図２の無線子局１０１〜１０５の構成例を示すブロック図である。
【図７】図１，図２の無線親局１００の他の構成例を示すブロック図である。
【図８】図１，図２の無線子局１０１〜１０５の他の構成例を示すブロック図である。
【図９】図１，図２の無線親局１００の更に他の構成例を示すブロック図である。
【図１０】図１，図２の無線子局１０１〜１０５の更に他の構成例を示すブロック図である。
【図１１】図１，図２の無線親局１００によるこの発明に係わる処理の第１例（第１実施形態）を示すフロー図である。
【図１２】図１，図２の無線子局１０１〜１０５によるこの発明に係わる処理の第１例（第１実施形態）を示すフロー図である。
【図１３】図１，図２の無線親局１００によるこの発明に係わる処理の第２例（第２，３，６，７実施形態）を示すフロー図である。
【図１４】図１，図２の無線子局１０１〜１０５によるこの発明に係わる処理の第２例（第２実施形態）を示すフロー図である。
【図１５】同じくこの発明に係わる処理の第３例（第３実施形態）を示すフロー図である。
【図１６】図１，図２の無線親局１００によるこの発明に係わる処理の第３例（第４，５，８，９実施形態）を示すフロー図である。
【図１７】図１，図２の無線子局１０１〜１０５によるこの発明に係わる処理の第４例（第４実施形態）を示すフロー図である。
【図１８】同じくこの発明に係わる処理の第５例（第５実施形態）を示すフロー図である。
【図１９】同じくこの発明に係わる処理の第６例（第６実施形態）を示すフロー図である。
【図２０】同じくこの発明に係わる処理の第７例（第７実施形態）を示すフロー図である。
【図２１】同じくこの発明に係わる処理の第８例（第８実施形態）を示すフロー図である。
【図２２】同じくこの発明に係わる処理の第９例（第９実施形態）を示すフロー図である。
【図２３】図１，図２の無線親局１００によるこの発明に係わる処理の第４例（第１０実施形態）を示すフロー図である。
【図２４】図１，図２の無線子局１０１〜１０５によるこの発明に係わる処理の第１０例（第１０実施形態）を示すフロー図である。
【図２５】図１，図２の無線親局１００によるこの発明に係わる処理の第５例（第１１，１２，１５，１６実施形態）を示すフロー図である。
【図２６】図１，図２の無線子局１０１〜１０５によるこの発明に係わる処理の第１１例（第１１実施形態）を示すフロー図である。
【図２７】同じくこの発明に係わる処理の第１２例（第１２実施形態）を示すフロー図である。
【図２８】同じく図１，図２の無線親局１００によるこの発明に係わる処理の第６例（第１３，１４，１７，１８実施形態）を示すフロー図である。
【図２９】図１，図２の無線子局１０１〜１０５によるこの発明に係わる処理の第１３例（第１３実施形態）を示すフロー図である。
【図３０】同じくこの発明に係わる処理の第１４例（第１４実施形態）を示すフロー図である。
【図３１】同じくこの発明に係わる処理の第１５例（第１５実施形態）を示すフロー図である。
【図３２】同じくこの発明に係わる処理の第１６例（第１６実施形態）を示すフロー図である。
【図３３】同じくこの発明に係わる処理の第１７例（第１７実施形態）を示すフロー図である。
【図３４】同じくこの発明に係わる処理の第１８例（第１８実施形態）を示すフロー図である。
【符号の説明】
１〜５：画像形成装置      ６：中央制御装置
７：データ通信装置        ８：公衆回線
１００：無線親局          １０１〜１０５：無線子局
１１１，１２１：アンテナ
１１２，１２２：無線送信部
１１３，１２３：無線受信部  １１４，１２４：制御部
１１５，１２５：ＲＳ４８５ドライバ
１１６，１２６：不揮発性メモリ
１１７，１２７：ステッチ部
１１８，１２８：ＬＥＤ表示部
１１９，１２９：文字表示部
１２０，１３０：スピーカ
【図１】
0003895106.tif 000002
【図２】
0003895106.tif 000003
【図３】
0003895106.tif 000004
【図４】
0003895106.tif 000005
【図５】
0003895106.tif 000006
【図６】
0003895106.tif 000007
【図７】
0003895106.tif 000008
【図８】
0003895106.tif 000009
【図９】
0003895106.tif 000010
【図１０】
0003895106.tif 000011
【図１１】
0003895106.tif 000012
【図１２】
0003895106.tif 000013
【図１３】
0003895106.tif 000014
【図１４】
0003895106.tif 000015
【図１５】
0003895106.tif 000016
【図１６】
0003895106.tif 000017
【図１７】
0003895106.tif 000018
【図１８】
0003895106.tif 000019
【図１９】
0003895106.tif 000020
【図２０】
0003895106.tif 000021
【図２１】
0003895106.tif 000022
【図２２】
0003895106.tif 000023
【図２３】
0003895106.tif 000024
【図２４】
0003895106.tif 000025
【図２５】
0003895106.tif 000026
【図２６】
0003895106.tif 000027
【図２７】
0003895106.tif 000028
【図２８】
0003895106.tif 000029
【図２９】
0003895106.tif 000030
【図３０】
0003895106.tif 000031
【図３１】
0003895106.tif 000032
【図３２】
0003895106.tif 000033
【図３３】
0003895106.tif 000034
【図３４】
0003895106.tif 000035